(57)【要約】  本発明に係る防水性且つ通気性の靴は、通気性の外側材料(11)を含む上側部分(10)と、底部部分(20)とを備える上側アセンブリ(8)であって、上側部分(10)及び底部部分(20)の全体に亙り延在する防水性且つ通気性の機能層配列体(18；13、21)を具備する上側アセンブリ(8)を具備する。靴は更に、自身を通る空気流を可能にする構造もしくは材料を有する通気性靴底要素であって、上側アセンブリ(8)に取付けられる通気性靴底要素を具備し、構造もしくは材料から、通気性靴底要素の側壁(702)を貫通して少なくとも一本の側部通路(50)が延在し、側部通路(50)は、通気性靴底要素の構造もしくは材料と、通気性靴底要素の外側との間の空気の連通を可能にする。
2013536708.tif 000002
【特許請求の範囲】
【請求項１】
通気性の外側材料(11)を含む上側部分(10)と、底部部分(20)とを備える上側アセンブリ(8)であって、前記上側部分(10)及び前記底部部分(20)の全体に亙り延在する防水性且つ通気性の機能層配列体(18；13、21)を具備する上側アセンブリ(8)と、
自身を通る空気流を可能にする構造もしくは材料を有する通気性靴底要素であって、前記上側アセンブリ(8)に取付けられる通気性靴底要素と、を具備する防水性且つ通気性の靴であって、
前記構造もしくは材料から、前記通気性靴底要素の側壁(702)を貫通して少なくとも一本の側部通路(50)が延在し、該側部通路(50)は、前記通気性靴底要素の前記構造もしくは材料と、前記通気性靴底要素の外側との間の空気の連通を可能にする、
防水性且つ通気性の靴。
【請求項２】
前記上側部分(10)は、下端部領域を有する防水性且つ通気性の上側機能層積層体(17)を具備し、
前記底部部分(20)は、側端部領域を有する防水性且つ通気性の底部機能層積層体(24)を具備し、
前記底部機能層積層体(24)の前記側端部領域及び前記上側機能層積層体(17)の前記下端部領域は、結合部(30)に配備された防水性シールにより相互に結合される、請求項１に記載の靴。
【請求項３】
前記通気性靴底要素は、自身を通る空気流を可能にする構造もしくは材料を有する内側通気性靴底要素(60；61；62；63；64；65；66；68)と、囲繞靴底要素(80；81；82；83；84；85；86；88)とを具備し、
前記囲繞靴底要素(80；81；82；83；84；85；86；88)は、前記内側通気性靴底要素(60；61；62；63；64；65；66；68)を少なくとも側方にて囲繞すると共に、前記上側アセンブリ(8)と、前記内側通気性靴底要素の側部表面(602)とに取付けられる、請求項１又は２に記載の靴。
【請求項４】
前記少なくとも一本の側部通路(50)は、前記内側通気性靴底要素(60；61；62；63；64；65；66；68)の前記構造もしくは材料から、前記内側通気性靴底要素の側壁(608)を貫通し、且つ前記囲繞靴底要素(80；81；82；83；84；85；86；88)を貫通して延在し、
前記少なくとも一本の側部通路(50)は、前記内側通気性靴底要素(60；61；62；63；64；65；66；68)の前記構造もしくは材料と、前記囲繞靴底要素(80；81；82；83；84；85；86；88)の外側との間の空気の連通を可能にする、請求項３に記載の靴。
【請求項５】
前記通気性靴底要素、特に前記内側通気性靴底要素(60；61；62；63；64；65；66；68)は、チャネル構造(160)を有する、請求項１〜４のいずれか一項に記載の靴。
【請求項６】
前記通気性靴底要素は側壁(702)を具備し、前記通気性靴底要素(60；61；62；63；64；65；66；68；173；187)にはチャネル構造(160；178)が形成され、
前記チャネル構造(160；178)は、複数本のチャネル(181、183、184)であって、該チャネル(181、183、184)の内の少なくとも幾本かは空気及び湿気放出ポート(182)を具備する複数本のチャネル(181、183、184)を具備し、
前記チャネル(181、183、184)の内の少なくとも一本は、複数本のチャネル(181、184)と交差する周縁チャネル(183)であり、
前記チャネル(181、183、184)及び前記側壁(608)は機能的支柱(400、401)を形成し、
前記通気性靴底要素は、前記チャネル(181、183、184)の頂部表面積(Ac)に対する前記機能的支柱(400、401)の頂部表面積(Ap)の比率として0.5〜5の比率を有する、請求項１〜５のいずれか一項に記載の靴。
【請求項７】
前記通気性靴底要素は、容器要素(113)の内側空間を形成するように底部部分(113a)及び側壁(113b)を有する容器要素(113)を具備し、
前記内側空間は、自身を通る空気流を可能にする充填物構造もしくは材料(112)により満たされる、請求項１〜６のいずれか一項に記載の靴。
【請求項８】
前記底部機能層積層体(24)の前記側端部領域は、縫製継目(30)により、前記上側機能層積層体(17)の前記下端部領域に取付けられ、
前記防水性シールは、前記縫製継目内へ且つ該縫製継目の回りに浸透された囲繞靴底材料により形成される、請求項３〜７のいずれか一項に記載の靴。
【請求項９】
前記内側通気性靴底要素(60；61；62；63；64；65；66；68)は、該内側通気性靴底要素(60；61；62；63；64；65；66；68)の上側周縁部が前記縫製継目(30)内に配置されるように、前記上側アセンブリ(8)の前記底部部分(20)の下方に配置され、
前記上側周縁部は特に、前記縫製継目(30)に対し、1mm〜4mm、更に詳細には2mm〜3mmの最小距離を有する、請求項８に記載の靴。
【請求項１０】
前記通気性の外側材料(11)の下側部分は、該下側部分を通る囲繞靴底材料の浸透を許容し、
前記防水性シールは、前記通気性の外側材料(11)の前記下側部分に浸透する囲繞靴底材料であって、前記上側機能層積層体(17)、前記底部機能層積層体(24)及び前記縫製継目(30)に至る囲繞靴底材料により少なくとも部分的に形成される、請求項８又は９に記載の靴。
【請求項１１】
前記通気性の外側材料(11)の前記下側部分はネットバンド(15)を具備し、
前記底部機能層積層体(24)の前記側端部領域は、前記縫製継目(30)により、前記ネットバンド(15)に対し且つ前記上側機能層積層体(17)の前記下端部領域に取付けられ、
前記囲繞靴底材料は前記継目(30)に浸透している、
請求項１０に記載の靴。
【請求項１２】
前記囲繞靴底要素(80；81；82；83；84；85；86；88)は、前記上側アセンブリ(8)の下側部分の少なくとも一部分上へ、且つ前記内側通気性靴底要素の前記側部表面(608)上へ型成形もしくは射出された材料により形成される、請求項３〜１１のいずれか一項に記載の靴。
【請求項１３】
前記上側アセンブリ(8)の下側側方部分を囲繞する囲繞接続要素(87)であって、前記上側アセンブリ(8)に対し且つ前記通気性靴底要素(67)の上側側方部分に取付けられる囲繞接続要素(87)を更に具備する、請求項１、２及び５〜７のいずれか一項に記載の靴。
【請求項１４】
前記底部機能層積層体(24)の前記側端部領域は、縫製継目(30)により、前記上側機能層積層体(17)の前記下端部領域に取付けられ、
前記防水性シールは、前記縫製継目内へ且つ該縫製継目の回りに浸透された前記囲繞接続要素(87)の材料により形成される、請求項１３に記載の靴。
【請求項１５】
前記通気性靴底要素は前記上側アセンブリ(8)に対して接着される、請求項１〜１４のいずれか一項に記載の靴。
【請求項１６】
前記底部機能層積層体(24)は、上側支持布層(22)と、下側の通気性で防水性の機能層(21)とを具備する二層積層体である、請求項１〜１５のいずれか一項に記載の靴。
【請求項１７】
前記底部機能層積層体(24)は、上側の通気性で防水性の機能層(22)と、下側支持布層(22)とを具備する二層積層体である、請求項１〜１５のいずれか一項に記載の靴。
【請求項１８】
前記通気性靴底要素は、該通気性靴底要素から突出する円環状唇部(101)を具備する、請求項１〜１７のいずれか一項に記載の靴。
【請求項１９】
前記内側通気性靴底要素(60；61；62；63；64；65；66；68)は、該内側通気性靴底要素(60；61；62；63；64；65；66；68)の上側周縁部の近傍に配置された円環状唇部(101)を具備し、
前記円環状唇部(101)は、前記内側通気性靴底要素から、上方及び横方向外方を含め、それらの間における方向に突出する、請求項３〜１２及び１５〜１８のいずれか一項に記載の靴。
【請求項２０】
前記内側通気性靴底要素(60；61；62；63；64；65；66；68)は、踵領域において該内側通気性靴底要素の上側周縁部の近傍における第1唇部区画と、前足領域において該内側通気性靴底要素の上側周縁部の近傍における第2唇部区画とを具備し、
前記第1及び第2の唇部区画は、前記内側通気性靴底要素の上側表面(606)から上方に垂直に延在する、請求項３〜１２及び１５〜１９のいずれか一項に記載の靴。
【請求項２１】
前記円環状唇部は、前記上側アセンブリ(8)の下側部分に対し、特にシュトローベルもしくはジグザグの様式で縫合される、請求項１８〜２０のいずれか一項に記載の靴。
【請求項２２】
前記底部機能層積層体(24)は、その下側表面に、特にドットもしくは瘤状部の、支持部材(29)を備える、請求項１〜２１のいずれか一項に記載の靴。
【請求項２３】
前記通気性靴底要素の少なくとも一部分の頂部上には、水蒸気透過性の快適層(40)が配備される、請求項１〜２２のいずれか一項に記載の靴。
【請求項２４】
前記水蒸気透過性の快適層(40)は、特にスポット的もしくは周縁的な接着により、前記通気性靴底要素の頂部に取付けられる、請求項２３に記載の靴。
【請求項２５】
前記快適層(40)は、上側面及び下側面を有し、
前記上側面は前記上側アセンブリ(8)の前記底部部分(20)に面しており、
前記下側面は前記通気性靴底要素に面しており、
前記下側面は堅固であり且つ前記上側面は柔軟である、請求項２３又は２４に記載の靴。
【請求項２６】
前記快適層(40)は２枚の個別の層から成る、請求項２２〜２４のいずれか一項に記載の靴。
【請求項２７】
前記通気性靴底要素の下側面は、外底の少なくとも一部分を形成する、請求項１〜２６のいずれか一項に記載の靴。
【請求項２８】
前記囲繞靴底要素(81；83；85；86)の下側面及び前記内側通気性靴底要素(61；62；66；68)の下側面は、外底の少なくとも一部分を形成する、請求項２７に記載の靴。
【請求項２９】
前記内側通気性靴底要素(60；61；63；64；65)の下側面は、前記囲繞靴底要素(80；81；83；84；85)の下側面と比較して高位の位置に配置される、請求項２８に記載の靴。
【請求項３０】
外底の少なくとも一部分を形成する付加的な靴底要素(90；92；94；95；97；99)が配備され、前記付加的な靴底要素は前記通気性靴底要素の下方に配置される、請求項１〜２９のいずれか一項に記載の靴。
【請求項３１】
支持部材(135)が前記付加的な靴底要素(95)の複数の部分に形成され、前記支持部材(135)は前記付加的な靴底要素(95)を貫通してほぼ垂直に延在する、請求項３０に記載の靴。
【請求項３２】
特に、前記通気性靴底要素と、外底の少なくとも一部分を形成する前記付加的な靴底要素(90；92；94；95；97；99)との間に配置された靴底快適層(122)を更に具備する、請求項１〜３１のいずれか一項に記載の靴。
【請求項３３】
前記囲繞靴底要素(83；84；85)は、前記内側通気性靴底要素(63；64；65)の下方に延在する、請求項３〜１２及び１５〜３１のいずれか一項に記載の靴。
【請求項３４】
前記囲繞靴底要素(83；84；85)は外底の少なくとも一部分を形成する、請求項３３に記載の靴。
【請求項３５】
支持部材(133；134；135)が前記囲繞靴底要素(83；84；85)の複数の部分に形成され、前記支持部材は前記囲繞靴底要素(83；84；85)を貫通してほぼ垂直に延在する、請求項３３又は３４に記載の靴。
【請求項３６】
前記少なくとも一本の側部通路(50)内に配備された少なくとも一つの中空インサートを具備する、請求項１〜３５のいずれか一項に記載の靴。
【請求項３７】
通気性の外側材料(11)を含む上側部分(10)と、底部部分(20)とを備える上側アセンブリ(8)であって、前記上側部分(10)及び前記底部部分(20)の全体に亙り延在する防水性且つ通気性の機能層配列体(18；13、21)を具備する上側アセンブリ(8)を配備する段階と、
自身を通る空気流を可能にする構造もしくは材料を有する通気性靴底要素を前記上側アセンブリ(8)に取付ける段階と、を含む防水性且つ通気性の靴を製造する方法であって、
前記構造もしくは材料から、前記通気性靴底要素の側壁(702)を貫通して少なくとも一本の側部通路(50)が延在し、前記側部通路(50)は、前記通気性靴底要素の前記構造もしくは材料と、前記通気性靴底要素の外側との間の空気の連通を可能にする、
防水性且つ通気性の靴を製造する方法。
【請求項３８】
前記上側アセンブリ(8)を配備する前記段階は、
前記上側アセンブリ(8)の前記上側部分(10)に、下端部領域を有する防水性且つ通気性の上側機能層積層体(17)を配備する段階と、
前記上側アセンブリ(8)の前記底部部分(20)に、側端部領域を有する防水性且つ通気性の底部機能層積層体(24)を配備する段階と、
前記底部機能層積層体(24)の前記側端部領域を前記上側機能層積層体(17)の前記下端部領域に結合する段階と、
前記底部機能層積層体(24)と前記上側機能層積層体(17)との間に防水性シールを配備する段階とを含む、請求項３７記載の方法。
【請求項３９】
上側アセンブリ(8)の上側部分(10)であって、通気性の外側材料(11)と、下端部領域を有する防水性且つ通気性の上側機能層積層体(17)とを含む上側部分(10)を配備する段階と、
前記上側アセンブリ(8)の底部部分(20)であって、側端部領域を有する防水性且つ通気性の底部機能層積層体(24)を含む底部部分(20)を配備する段階と、
前記底部機能層積層体の前記側端部領域を、前記上側機能層積層体の前記下端部領域に結合する段階と、
自身を通る空気流を可能にする構造もしくは材料を有する通気性靴底要素を配備する段階であって、該通気性靴底要素は、前記構造もしくは材料から、該通気性靴底要素の側壁(702)を貫通して延在する少なくとも一本の側部通路(50)を具備し、前記側部通路(50)は、前記通気性靴底要素の前記構造もしくは材料と、前記通気性靴底要素の外側との間の空気の連通を可能にする、通気性靴底要素を配備する段階と、
前記通気性靴底要素を、囲繞接続要素(87)の射出成形により、前記上側アセンブリ(8)に取付ける段階であって、前記囲繞接続要素(87)が前記底部機能層積層体(24)と前記上側機能層積層体(17)との間に防水性シールを提供する、前記通気性靴底要素を前記上側アセンブリ(8)に取付ける段階とを含む、
防水性且つ通気性の靴を製造する方法。
【請求項４０】
上側アセンブリ(8)の上側部分(10)であって、通気性の外側材料(11)と、下端部領域を有する防水性且つ通気性の上側機能層積層体(17)とを含む上側部分(10)を配備する段階と、
前記上側アセンブリ(8)の底部部分(20)であって、側端部領域を有する防水性且つ通気性の底部機能層積層体(24)を含む底部部分(20)を配備する段階と、
前記底部機能層積層体の前記側端部領域を、前記上側機能層積層体の前記下端部領域に結合する段階と、
自身を通る空気流を可能にする構造もしくは材料を有する内側通気性靴底要素(60；61；62；63；64；65；66；68)を配備して、該内側通気性靴底要素を、囲繞靴底要素(80；81；82；83；84；85；86；88)を介し、特に該囲繞靴底要素の射出成形により、前記上側アセンブリに取付ける段階と、を含む防水性且つ通気性の靴を製造する方法であって、
前記構造もしくは材料からは、前記内側通気性靴底要素(60；61；62；63；64；65；66；68)の側壁(608)を貫通し且つ前記囲繞靴底要素(80；81；82；83；84；85；86；88)を貫通して少なくとも一本の側部通路(50)が延在し、該側部通路(50)は、前記通気性靴底要素の前記構造もしくは材料と、前記通気性靴底要素の外側との間の空気の連通を可能にし、前記囲繞靴底要素(80；81；82；83；84；85；86；88)は、前記底部機能層積層体(24)と前記上側機能層積層体(17)との間に防水性シールを提供する、
防水性且つ通気性の靴を製造する方法。
【請求項４１】
前記少なくとも一本の側部通路(50)は少なくとも部分的に、材料のレーザー処理又は穿孔又は穿刺又は熱的除去により形成される、請求項３７〜４０のいずれか一項に記載の方法。
【発明の詳細な説明】
【技術分野】
【０００１】
本発明は、防水性且つ通気性の靴、及び靴を製造する方法に関する。
【背景技術】
【０００２】
当業界においては、靴に通気性の靴底を備えることが知られている。斯かる通気性靴底の例は、特許文献１から知られる。該文献中には安全靴が記述され、その外底は、靴底の両側部において通気のための水平な空気排出口を具備する。靴はまた、外底内に横たわるハニカム構造、及び有孔の内底も備えることから、これらの蒸気透過性の層及び水平な空気排出口を通して靴の内側から外部雰囲気へ水蒸気が放出される。もし靴が、製紙工場のように、完全に乾燥した条件で装着されるのでなければ、内底の下方には防水で通気性の膜が配備され得る。
【先行技術文献】
【特許文献】
【０００３】
【特許文献１】欧州特許第1033924B1号明細書
【特許文献２】米国特許第4725418号明細書
【特許文献３】米国特許第4493870号明細書
【特許文献４】米国特許第3953566号明細書
【特許文献５】米国特許第4187390号明細書
【特許文献６】米国特許第4194041号明細書
【特許文献７】米国特許第5329807号明細書
【発明の概要】
【発明が解決しようとする課題】
【０００４】
本発明の目的は、(足の挿入領域を除き)足の回り全てに防水保護を提供する靴であって、足の周り全て、特に靴底領域において高い通気性及び快適さを同時に示すと共に、夏及び冬での使用などの多様な使用状況に適する靴を提供することである。また、防水性であり、非常に通気的で快適であると共に、種々の使用状況に適する靴を製造する方法を提供することも本発明の目的である。
【課題を解決するための手段】
【０００５】
本発明の様相に依れば、請求項１の特徴に従う防水性且つ通気性の靴が提供される。
【０００６】
特に、本発明の様相においては、通気性の外側材料を含む上側部分と、底部部分とを備える上側アセンブリであって、上側部分及び底部部分の全体に亙り延在する防水性且つ通気性の機能層配列体を具備する上側アセンブリを具備する、防水性且つ通気性の靴が提供される。靴は更に、自身を通る空気流を可能にする構造もしくは材料を有する通気性靴底要素であって、上側アセンブリに取付けられる通気性靴底要素を具備し、前記構造もしくは材料から、通気性靴底要素の側壁を貫通して少なくとも一本の側部通路が延在し、該側部通路は、通気性靴底要素の前記構造もしくは材料と、通気性靴底要素の外側との間の空気の連通を可能にする。
【０００７】
機能層配列体は、膜片とも称される１枚、２枚又はそれ以上の機能層片で構成され得る、と言うのも、機能層及び膜という用語は、本明細書中においては互換的に使用されるからである。２枚以上の膜片が存在する場合、各膜片は(ことによると幾分かの重なり合いを以て)並置して配置され、相互に結合され且つシールされることで、防水性且つ通気性の機能層配列体がもたらされる。機能層配列体は実質的に、装着者の足を囲繞する上側アセンブリの内側形状と同様に形状化される。各膜片には、機能層配列体が１枚、２枚又はそれ以上の機能層積層体の配置構成であり得るように、一層以上の布層が積層され得る。
【０００８】
特定実施例において、上側部分は下端部領域を有する防水性且つ通気性の上側機能層積層体であり、且つ底部部分は側端部領域を有する防水性且つ通気性の底部機能層積層体である。底部機能層積層体の側端部領域及び上側機能層積層体の下端部領域は、結合部に配備された防水性シールにより相互に結合される。上側機能層積層体及び底部機能層積層体は、防水性且つ通気性の機能層配列体を形成する。
【０００９】
本発明に係る靴によれば、足を収容する該靴の内側部分内への水分の進入を有効に防止し得る一方で、靴の上側並びに靴底を通る高度の通気性を保証する。例えば、ブーツもしくは立体的ソックスの形態、又は接続部が防水様態でシールされた上側機能層積層体及び底部機能層積層体の形態の機能層配列体を具備する防水性の上側アセンブリによれば、靴に外部から水は進入しないので、装着者は、雨、泥又は雪の環境などの一切の湿潤条件においても足が濡れないことが保証される。機能層配列体は、上側アセンブリの上側部分及び底部部分の相当の部分に亙り延在し、特にそれは、上側アセンブリの内側延在範囲のほぼ全体に亙り延在する。この様にして、上側アセンブリは装着者の足の回りに防水性の袋体を形成して装着者の足に対する360°の水分防止を可能にし、すなわち、それは(当然乍ら、装着者の足を受容するための靴の開口を除いて)装着者の足を完全に囲繞する。機能層配列体は、上側アセンブリの内側空間に向けて配置され、特にそれは、上側アセンブリの内側面の少なくとも相当の部分を形成し得る。
【００１０】
機能層配列体、特に、防水性且つ通気性の上側機能層積層体によれば、外側材料を貫通して外部から靴に水分が進入しないことが保証される。同時に、上側部分は通気性であることから、靴の内部から外部への水蒸気の搬送に役立つことが保証される。水蒸気は靴から、上側アセンブリの上側部分を介し、並びに上側アセンブリの底部部分、通気性靴底要素の構造もしくは材料、及び側部通路を介して効果的に外部へ移送され得る。従って、高レベルの水蒸気放出が達成される、と言うのも特に、例えば着座もしくは起立しているときなどの静的環境において空気流は側部通路及び通気性靴底要素において発生し得るからである。この流れは、装着者が歩行もしくは走行しているときに靴の運動により増進され得る。歩行もしくは走行動作の間には２つの好適な効果が生じ、その各々は主として歩行サイクルの２つの段階、すなわち、実際の立脚期、及び実際の歩みの間の靴の揺動段階が関連する。靴の揺動段階の間、前記少なくとも一本の側部通路を通り通気性靴底要素に対して空気の流入及び流出が生じ、側部通路は、その中における斯かる空気流を発達させるのに非常に適している。これは特に実状である、と言うのも、歩行動作の全ての段階の間において側部通路の外側端部は周囲環境と空気接続されることで、常に、空気放出と共に水蒸気放出を可能にするからである。歩行又は走行動作の間における靴底の屈曲、及びさらに、立脚期の間における通気性靴底要素に対する装着者の体重の付与によっても、通気性靴底要素及び少なくとも一本の側部通路内で空気流が強制される。通気性靴底要素から押し出される空気は、それと共に靴の内部から水蒸気を運び去る。そのときに通気性靴底要素内に戻る周囲空気は、再び水蒸気を帯び得る。
【００１１】
前記通路を通して進入し得る一切の水分、塵埃、土壌などは、重力及び靴の運動により経時的に、これらの通路を通して放出される。故に、これらの不都合な物質の経時的な蓄積は無い。故に、通気性靴底要素の上方に位置する機能層もまた、斯かる塵埃粒子により影響されることはない。
【００１２】
通気性材料という用語は、水蒸気透過性である材料を指している。それらはまた、空気透過性でもあり得る。特定実施例において、機能層配列体、特に上側機能層積層体及び底部機能層積層体は、防水性且つ通気性であるが、空気透過性ではない。通気性の靴という用語は、汗の形態の水蒸気が当該靴の内部から外部へ通過し得る靴を指している。
【００１３】
通気性靴底要素という用語は、該通気性靴底要素が、靴底の通気のために能動的で自己推進式のメカニズムを具備することを意味することは意図されない。代わりに、通気性靴底要素の構造は、静的環境において、また同様に特に、靴の使用の間における装着者の動作により、該通気性靴底要素の換気もしくは通気を可能にする。従って、通気性靴底要素は、通気される靴底要素もしくは通気用靴底要素とも称され得る。但し、本発明は、特定の発明的構造に加え、自己推進式のポンプなどのような能動的な機構が存在することを除外するものでないことは明示的に指摘される。
【００１４】
本発明に係る靴は常に、少なくとも通気性靴底要素を具備する靴底もしくは靴底アセンブリを特徴とする。通気性靴底要素は、靴底アセンブリにおける唯一の靴底要素であり得る。その場合、その下側表面は歩行の間に地面と接触し、すなわち、それは外底もしくは外側靴底としても機能する。靴底もしくは靴底アセンブリは、通気性靴底要素以外にも、例えば、靴底もしくは靴底アセンブリの底部の少なくとも一部分であって地面と接触する一部分を形成し得る別体的な外底などの、更なる層もしくは要素を具備し得る。靴底もしくは靴底アセンブリの底部もしくは下側表面は、トレッド、すなわち、垂直及び／又は水平方向における輪郭形状もしくは外郭形状もしくはパターンを含み得るが、必須ではない。靴底もしくは靴底アセンブリは、限定的なものとしてで無く、靴底をもしくは靴底アセンブリの複数の部分を上側アセンブリ上に型成形もしくは射出成形する、及び靴底の複数の部分もしくは全てを上側アセンブリ上に接着するなどの多くの手法により靴の上側アセンブリに取付けられ得る。
【００１５】
通気性靴底要素は、一つの部材で構成され得るか、又は共同で通気性靴底要素を形成する数個の部材を具備し得る。特定実施例に依れば、通気性靴底要素は少なくとも、自身を通る空気流を可能にする構造もしくは材料を有する内側通気性靴底要素と、囲繞靴底要素とを具備し、囲繞靴底要素は、内側通気性靴底要素を少なくとも側方にて囲繞すると共に、好適には射出成形により、上側アセンブリと、内側通気性靴底要素の側部表面とに取付けられる。この様にして、通気性靴底要素の機能的分離が達成され、囲繞靴底要素は少なくとも、上側アセンブリに対する内側通気性靴底要素の取付けに寄与する。
【００１６】
通気性靴底要素の側壁は、該通気性靴底要素の構造もしくは材料から、靴底の外部もしくは周囲空気まで延在する。内側通気性靴底要素及び囲繞靴底要素から作成された通気性靴底要素の場合、該通気性靴底要素の側壁は、内側通気性靴底要素の構造もしくは材料から、靴底の外部もしくは周囲空気、すなわち、囲繞靴底要素の外側側部表面まで延在する。囲繞靴底要素の内側側部表面は、少なくとも部分的に、内側通気要素の側部表面に面するかもしくは接触する。
【００１７】
更なる実施例によれば、通気性靴底要素は、複数本の側部通路を具備する。
【００１８】
更なる実施例に依れば、少なくとも一本の側部通路は内側通気性靴底要素の構造もしくは材料から延在することで、それを通る空気流を可能にし、内側通気性靴底要素の側壁を貫通し且つ囲繞靴底要素を貫通し、側部通路は、内側通気性靴底要素の構造もしくは材料と囲繞靴底要素の外部との間の空気の連通を可能にする。逆に、経路を記述すると、通路は、囲繞靴底要素の外側側部表面から、囲繞靴底要素及び内側通気性靴底要素の側壁を貫通して内側通気性靴底要素の構造もしくは材料に至り、それを通る空気流を可能にする。囲繞靴底要素の通路は、水蒸気放出連鎖における最後の断片を構成する。装着者の足の発汗により生成された水蒸気は、底部機能層積層体、内側通気性靴底要素及び少なくとも一本の側部通路を介して、靴の靴底の横方向外側、すなわち、周囲空気に到達する。空気流と、勾配駆動された拡散力により効果的に放出されるべき水蒸気の経路が確立される。
【００１９】
側部通路は、通気性靴底要素の側壁内の任意の箇所に配置され得る。特にそれらは、通気性靴底要素の後部(踵領域)及び／又は前部(つま先領域)に配置され得る。これにより、水蒸気を備える空気は、歩行の間における靴底アセンブリのうねり動作により、通気性靴底要素を通り、側部通路の外方へより容易に押し出され得る。上述されたように、通気性靴底要素が内側通気性靴底要素及び囲繞靴底要素を具備するときもまた、側部通路は、内側通気性靴底要素の側壁及び囲繞靴底要素の任意の箇所に配置され得る。
【００２０】
更なる実施例に依れば、通気性靴底要素は、該通気性靴底要素を片面における外側部から他側面の外側部へ直線状に貫通延在する少なくとも一本の側部通路を具備し得る。斯かる単一本もしくは複数本の側部通路は、例えば、通気性靴底要素を直角に貫通するレーザーもしくはドリルを用いて形成され得る。
【００２１】
更なる実施例に依れば、通気性靴底要素は、該通気性靴底要素の底部側から該通気性靴底要素の上部側まで該通気性靴底要素を貫通延在する垂直通路を備えない。垂直通路を有さないということは、特に、足裏面の延在範囲全体に亙る安定的で防水性且つ水蒸気不透過性の靴底層に対する靴底デザインの高度の融通性を可能にする。これにより装着者の相当の快適さが提供され得る、と言うのも、堅さのより小さい材料が使用されるように靴底の負荷支持が靴底の領域全体に亙り分散され得るからである。また靴底は更に均一さが感じられ得ることから、垂直孔を備える靴底よりも、ユーザは更に快適となる。付加的な利点は、靴底の下側面上に蓄積する塵埃／土壌／泥／砂が、靴の水蒸気放出機能を阻害しないということである。側部通路は、多様な使用状況、特に相当に不都合な使用環境においても、靴の通気性を保証する。
【００２２】
但し、更なる実施例において、通気性靴底要素は、少なくとも一本の側部通路に加えて少なくとも一本の垂直通路を具備することで、付加的な空気流を可能にする。これはまた、通気性靴底要素からの液体及び／又は塵埃の付加的な排出も可能にする。
【００２３】
更なる実施例に依れば、通気性靴底要素、特に内側通気性靴底要素は、チャネル構造を有している。このチャネル構造は、通気性靴底要素内に、特に内側通気性靴底要素内に配備されて自身を通る空気流を可能にする構造を形成する。チャネル構造を具備する斯かる通気性靴底要素は、通気性靴底要素を具備するべく完成された靴が装着されたときに、通気性靴底要素の上方に配置される上側アセンブリの通気性の底部部分を介しての拡散により放出されつつある水蒸気に由来する空気及び湿気の有効な収集及び搬送を提供する。
【００２４】
更なる実施例に依れば、通気性靴底要素は側壁を具備し、該通気性靴底要素にはチャネル構造が形成され、且つ該チャネル構造は複数本のチャネルを具備する。これらのチャネルは、横方向もしくは長手方向のチャネルである。チャネルの内の少なくとも幾本かは、空気及び湿気放出ポートを具備する。チャネルの内の少なくとも一本は、周縁チャネルであり、すなわち、通気性靴底要素の周縁部又は円周部上に、但し側壁の内側に位置するチャネルである。この周縁チャネルは、他の複数本のチャネルと交差する。チャネル及び側壁は、複数の機能的支柱を形成する。チャネル構造のチャネルの頂部表面積(Ac)に対する機能的支柱の頂部表面積(Ap)の比率は、0.5〜5である。
【００２５】
周縁チャネルは、通気性靴底要素の周縁部全体に沿って閉じられもしくは延在する必要はない。第1の種類の機能的支柱は、複数本のチャネルにより、例えば、２本の横方向チャネル及び周縁チャネルの左右の部分により、又は２本の横方向チャネル、１本の長手方向チャネル、及び一方の周縁チャネルにより、又は２本の横方向チャネル及び２本の長手方向チャネルにより、完全に囲繞される。第2の種類の機能的支柱は、通気性靴底要素の夫々の上側部分であって、側壁の内側端部と、該側壁の内側端部の直近に配置されたチャネル部分とにより囲繞された上側部分により形成される。斯かる第2の種類の機能的支柱は、例えば、隣り合う２つの横方向チャネル間においては靴の長手方向に、且つ側壁の内側端部と周縁チャネルの近傍部分との間においては横方向に延在し得る。側壁は、該側壁の外側面と、該側壁の外側面に最接近して配置されたチャネル壁部もしくはチャネル端部もしくはチャネルポート間に描かれた仮想線との間に延在する。側壁は、厚寸である必要は無く、負荷支持する必要もない。それは、靴底の外側部に対する通気性靴底要素の境界部を提供する。
【００２６】
チャネル構造は、通気性靴底要素の頂部もしくは上側部分内に形成され、すなわち、上側アセンブリの方に面する上側表面から開始し、通気性靴底要素内へ下方に幾分か延在する。チャネル構造はまた、通気性靴底要素の全体をとおして、又はその他の任意の部分において、形成されても良い。
【００２７】
通気性靴底要素全体に関して、チャネルシステムに関する多くの様相及び実施例が既に記述され且つ記述されるであろうが、本明細書中に記述される実施例及び利点は、囲繞靴底要素により囲繞された内側通気性靴底要素において配備されるチャネルシステムに対して等しく関連する。この場合、通気性靴底要素の側壁は、内側通気性靴底要素の側壁及び囲繞靴底要素を具備する。この状況において、周縁チャネルは、通気性靴底要素の横方向外側から更に幾分か移動され得ることが可能である。但し、通気性靴底要素の横方向外側に最接近したチャネルであれば、それは依然として、周縁チャネルと称される。
【００２８】
空気及び湿気放出ポートの全て又は部分集合は、空気が、通気性靴底要素のチャネル構造から該通気性靴底要素の外部へ、及びその逆に通過し得るように、通気性靴底要素の側壁を貫通通過する側部通路により通気性靴底要素の外部に接続される。通気性靴底要素が内側通気性靴底要素及び囲繞靴底要素を具備する場合、側部通路は、空気及び湿気放出ポートを、内側通気性靴底要素の側壁を貫通し且つ囲繞靴底要素を貫通して、通気性靴底要素の外部へ接続する。側部通路のこれらの２つの部分を区別するために、内側通気性靴底要素を貫通延在する側部通路の部分は側部開口とも称され、且つ囲繞靴底要素を貫通延在する側部通路の部分は側部通路部分と称される。
【００２９】
チャネル構造及び通気性靴底要素の側壁により形成される機能的支柱は、足裏面により通気性靴底要素構造に課される圧力の良好な分散という第1の目的、及び機能的支柱の回りに形成された効率的な空気及び湿気の収集及び移行チャネル構造を提供して良好な通気を可能にするという第2の目的に対して有用である。
【００３０】
更に、上述されたようなチャネル構造を有する通気性靴底要素は、良好な可撓特性を有すると共に、耐摩耗性である。それは、特に一回の型成形段階で容易に製造され、その場合、当該通気性靴底要素内のチャネル構造を含む通気性靴底要素の外側形状は、成形型により形成される。通気性靴底要素は、成形、射出もしくは加硫され得る。
【００３１】
チャネルの頂部表面積に対する支柱の頂部表面積の関係が0.8〜5.0であることにより、一方における快適さ、耐久性、支持及び圧力分布の各特性と、他方における通気効果との間の良好な折衷策が達成される。
【００３２】
更なる実施例に依れば、チャネルの頂部表面積に対する支柱の頂部表面積の比率は、1.0〜3.0、更に詳細には1.4〜2.2である。
【００３３】
本発明者等は、支柱により形成される頂部表面積が、チャネルにより画成される頂部表面積以上であるときに、装着者に対する高度の快適さに繋がる支持及び圧力分布の特性と、通気との間の特に良好な折衷策が達成されることを見出した。この比率が、1.0〜3.0、更に詳細には1.4〜2.2であるときに、特に良好な折衷策が達成される。
【００３４】
この関係は、快適さの観点からは、通気性靴底要素にチャネルが全く無いことが望ましく、通気の観点からは、チャネル構造により作成される通気性靴底要素内の開放空間ができるだけ大きくされるべきである、という両極端から見ることにより更に良好に理解され得る。
【００３５】
他方、チャネルの幅は任意ではない。狭すぎるチャネルは適切でない、と言うのも、それらは空気及び湿気の十分な収集及び搬送を可能にしないからである。広すぎるチャネルは快適さを感じない、と言うのも、装着者は支柱の縁部を感じるからである。チャネルが広いほど、それらの縁部は上方の層、特に、底部における機能層に更に食い込む。
【００３６】
これらの全ての点を考慮すると、本出願の発明者は、上述された関係が特に有利であることを見出した。
【００３７】
本発明の更なる実施例に依れば、機能的支柱は4ミリメートルの最小限の上縁部長さを有する。全ての縁部が、長手方向及び横方向の両方において、少なくとも4mm長とされるべきである。
【００３８】
本発明の更なる実施例に依れば、チャネルの側端部の少なくとも幾つかは、空気及び湿気放出ポートとして形成される。
【００３９】
チャネルは、通気性靴底要素の形状に追随し得る。横方向チャネルの少なくとも底部表面は、該横方向チャネルの主要方向で見たときに、ほぼ水平であり得る。この場合、チャネル深さは、通気性靴底要素の全体に亙り変化する。別実施例において横方向チャネルの底部表面は、通気性靴底要素の中央に向けて下方に傾斜される。チャネルはまた、通気性靴底要素の外部に向けて下方に傾斜されても良い。
【００４０】
本発明の更なる実施例に依れば、通気性靴底要素の上部側におけるチャネルの幅は、2〜5mm、特に2〜3.5mmである。
【００４１】
本発明の更なる実施例に依れば、チャネル構造は、第1チャネル幅を有する第1部分と、第2チャネル幅を有する第2部分とを有する。異なるチャネル幅を有する斯かる部分を配備することにより、斯かる部分において生ずる種々の屈曲及び屈曲状態が整合され得る。
【００４２】
本発明の更なる実施例において、異なるチャネル幅を有する斯かる各部分は、足の踵部分、及び／又は足の前足部分、特に前足の母指球部分の下方に配置され得る。
【００４３】
本発明の実施例に依れば、斯かる特殊な部分におけるチャネル幅は、チャネル構造の他の部分におけるチャネル幅よりも小寸であり得る。
【００４４】
本発明の更なる実施例に依れば、前足部分において隣り合う横方向チャネル間の距離は、空気及び湿気を外部へ能動的に移動させる効果を高めるために、踵部分におけるよりも小寸であり得る。通気性靴底要素の前足部分において生ずる屈曲は、踵部分におけるよりも大きい。更に、足は、この領域において、例えば踵領域におけるよりも多くの汗を生成する。斯かる屈曲により、チャネルの断面は再び減少及び拡幅化され、これは、斯かるチャネルから空気を外方に押しやる。前足部分において更に高密度の横方向チャネルを配備することにより、斯かる能動的効果は高められ、更に優れた通気効果に繋がり得る。
【００４５】
チャネルの形状は、種々の種類であり得る。本発明の更なる実施例に依れば、チャネルはチャネル壁部及びチャネル底部を具備し、断面視で見たときに、一つのチャネルの壁部間の距離は、上方向に増大する。斯かるチャネル形態は、良好な空気及び湿気の収集及び搬送機能を提供する。
【００４６】
本発明の更なる実施例に依れば、チャネル底部は、ほぼ水平な平面として形成される。この特徴の配備により、チャネルは、断面視で見たときに、本質的に台形状、更に詳細には等脚台形の形態を有する。
【００４７】
本発明の更なる実施例に依れば、ほぼ水平なチャネル底部とチャネル壁部との間には、傾斜された底部移行面が配備される。
【００４８】
本発明の代替実施例において、チャネル底部は丸形で凹状の形態を有することで、断面視で見たときに、チャネルに対してＵ字形状を与える。
【００４９】
チャネルは、それらが、鋭角を有する角隅部もしくは縁部のような、鋭利な角隅部及び／又は縁部を有さない様態で形成され得る。チャネル底部の実施例において90°の角度が無いことから、矩形状とされたチャネルの場合にあり得る空気／湿気の動きが生じ得ない角隅部に、空気及び湿気が捕捉されることはない。
【００５０】
上述されたチャネル形態はいずれも、例えば平らなＶ形状チャネルの場合での破断の形態で機械的破損にいたる傾向はない。更に、単なるＶ形状と比較したチャネル底部の幅の故に、チャネルは、更に多くの空気及び湿気を取り込み得る。
【００５１】
鋭利縁部があると、引き起こされる摩擦及び乱流により空気流が減少されると共に、靴底の裂開及び破損が誘起される。このことは、特にチャネルの交点における場合である。好適実施例においては、チャネルの少なくとも垂直縁部が丸み付けられ、好適には0.25〜5mmの半径を有する。
【００５２】
更なる実施例においては、チャネル／支柱の頂部の水平縁部が丸み付けられ、好適には0.5〜5mmの半径を有し得る。これにより、通気性靴底要素の上方の靴における各層に対する食い込みが少なくなり、且つ装着者の感触が更に快適となる。
【００５３】
本発明の更なる実施例に依れば、通気性靴底要素の前側部分から後側部分まで延在する一本の連続的な周縁チャネルが配備される。
【００５４】
斯かる一本の連続的な周縁チャネルにより、空気及び湿気の良好な収集及び搬送が達成され得る。
【００５５】
代替実施例に依れば、通気性靴底要素の異なる部分に亙り延在する少なくとも２本の周縁チャネルが配備される。斯かる周縁チャネルは相互に交差し得るか、それらは互いに分離して形成され得る。少なくとも２本の周縁チャネルの配備によっても、良好な空気及び湿気の収集及び搬送機能が達成され得る。
【００５６】
本発明の更なる実施例に依れば、周縁チャネルは、通気性靴底要素の前側区画から後側区画に見て、ジグザグ線で延在する。斯かるジグザグ形状の周縁チャネルを使用することにより、空気及び湿気放出ポートに対する空気及び湿気の特に効率的な搬送が達成され得る。
【００５７】
周縁チャネルのジグザグ形態は、斯かるジグザグの周縁チャネルが、空気及び湿気放出ポートとして形成された端部の横方向チャネルと、それらの空気及び湿気放出ポートのまさに内側にて交差するようなものであり得る。
【００５８】
チャネル構造は全体として、すなわち、相互に対する種々のチャネルの配置構成は、好適実施例において、水の分子が通気性靴底要素の内側から、最も近い空気及び湿気放出ポートまで移動すべき最大長が60mmであるようなものである。
【００５９】
本発明の更なる実施例に依れば、空気及び湿気放出ポートは、他のチャネル部分と比較してより大きな深さを有し、及び付加的にもしくは代わりに拡開され得る。故に、空気及び湿気放出ポートにより、十分な空気及び湿気が受容され且つ更に外方に搬送され得る。
【００６０】
上述されたように、通気性靴底要素の側部通路は、該通気性靴底要素の空気及び湿気放出ポートに接続され得る。これらの側部通路は、事前作製された通気性靴底要素、すなわち、靴もしくは半製品内に配置されたままの通気性靴底要素に存在する必要はないが、このことも当然乍ら可能である。斯かる側部通路は、例えば、その後の製造段階において通気性靴底要素内への高温ニードルなどにより、穿孔されるかもしくはレーザー形成されるかもしくは穿刺され、及び／又は溶融され得る。この段階の間、ポートの大きな深さもしくは広い幅は、通気性靴底要素のチャネルシステムに対する通路の更に高信頼性で更に安全であり且つ更に容易な接続プロセスを可能にする。
【００６１】
本発明の更なる実施例に依れば、通気性靴底要素の上側表面は、支持されるべき足裏面を収容すべく低位の前部領域及び高位の後側部分を備えた湾曲形状を有する。通気性靴底要素の形状は、該通気性靴底要素により支持されるべき足に対して人間工学的に適合作成された解剖学的な靴型の形状に追随する。
【００６２】
靴底アセンブリを軽量とするために、通気性靴底要素に対しては、例えば0.35g/cm3の密度を有する低密度のポリウレタン(PU)を使用することが好適である。
【００６３】
斯かるポリウレタン製の通気性靴底要素は、例えば歩行中のような使用の間におけるユーザの体重の少なくとも一部分を支持／移行する高度の安定性を有する一方で、歩行の間における装着者の快適さを増進する特定の可撓性を有する。靴の好適な用途に応じて、適切な材料が選択され得る。斯かる材料の例は、ドイツのエラストグラン社(Elastogran Gmbh)からのElastollanである。この材料は、その低密度の故に好適である。代替的に、通気性靴底要素を射出成形するためには、TPU(熱可塑性ポリウレタン)、EVA(エチレン酢酸ビニル)、PVC(ポリ塩化ビニル)、又はTR(熱可塑性ゴム)などが使用され得る。
【００６４】
通気性靴底要素に対しては、ポリエチレン(PE)を主成分としてPUを使用することがより好適である。
【００６５】
通気性靴底要素に対しては、緩衝の理由から、硬すぎない材料を使用することがより好適である。故に、通気性靴底要素に対しては、38〜45のショアＡ硬度を備えたポリウレタン材料が好適である。ショア硬度は、デュロメータ試験で測定される。ポリウレタンのスポット上へ力が付与され、その力は凹所を形成する。次に、凹所が消失するために必要とされる時間が測定される。
【００６６】
本発明の別実施例に依れば、通気性靴底要素の材料は、それが、自身を通る高い水蒸気拡散率を有するように孔質である。これにより、通気性靴底要素の通気効果は増進される。
【００６７】
本発明の更なる実施例において、チャネルの深さは、20mm未満、好適には2〜10mmである。これにより、歩行しているときにおけるうねり運動であって、装着者により感知される快適さに悪影響し、且つ経時的に機能的支柱の破断を引き起こし得る傾動トルクを該機能的支柱に及ぼす、うねり運動に装着者が直面することが回避される。
【００６８】
チャネル構造により形成される機能的支柱は、通気性靴底要素の表面の全体に亙り変化し得る種々のサイズ、特に長さ、深さ及び表面積を有し得る。
【００６９】
機能的支柱はまた、平面視で見たときに、例えば、矩形状、三角形状、もしくは丸形状など種々の形状も有し得る。
【００７０】
本発明者等は、チャネルの深さと、上方の上側アセンブリに面する機能的支柱の表面積との間には、所定の関係があることを見出した。チャネルの深さが小さいほど、小さい表面積が可能である。機能的支柱の表面積の典型的な値は、0.6〜1cm2である。
【００７１】
更なる実施例に依れば、通気性靴底要素は、当該容器要素の内側空間を形成するように底部部分及び側壁を有する容器要素を具備し、内側空間は、自身を通る空気流を可能にする充填物材料により満たされる。自身を通る空気流を可能にする充填物材料の代わりに、チャネル構造のような、自身を通る空気流を可能にする充填物構造も配備され得る。容器要素は、自身を通る空気流を可能にする充填物材料もしくは充填物構造を受容する槽(tub)を形成する。
【００７２】
更なる実施例に依れば、充填物構造もしくは材料は、立体的スペーサである。該立体的スペーサは、構造もしくは材料が、その下方及びその上方に配置された各層の間に、特に、上側アセンブリの下側部分と容器要素の底部部分との間に、間隔を維持するように構成され得る。この様にして、構造もしくは材料を通る空気流が維持される。特に、斯かるスペーサ構造もしくは材料は、非常に低い空気流抵抗を可能にする一方で、容器要素とスペーサ構造もしくは材料との組合せ物の高度の安定性を保証し得る。別実施例において、スペーサ構造もしくは材料は、少なくとも部分的に弾性的とされる。この故に、靴の歩行の快適さは高められる、と言うのも、スペーサ構造もしくは材料は、歩行サイクルの立脚期の間において、緩衝と、更に容易なうねりプロセスを可能にするからである。別実施例においてスペーサ構造もしくは材料は、対応する靴における靴サイズに対応して予測されるべき靴のユーザの最大体重による最大応力の間に、該スペーサ構造もしくは材料が、斯かる最大応力の間でさえも、該スペーサ構造もしくは材料の空気流の相当の部分が依然として維持される程度までしか弾性的に屈曲しない様に設計される。スペーサは、例えば、ポリエステル、ポリオレフィンもしくはポリアミドのような材料で作成され得る。
【００７３】
別実施例において、空気透過性スペーサは、第1支持表面を形成する平坦構造と、直角及び／又は0〜90°の角度にて平坦構造から離間延在する多数のスペーサ要素とを有する。そのとき、平坦構造から離間して位置するスペーサ要素の端部は表面を画成し、該表面により、平坦表面から離間する方向を向く第2支持表面が形成され得る。別実施例において、スペーサのスペーサ要素は瘤状部として設計され、各瘤状部の自由端部は協働して、言及された第2支持表面を形成する。別実施例において、スペーサは、相互に平行に配置された２つの平坦構造を有し、該２つの平坦構造は、それらの間を通る空気流を可能にし且つそれらを互いに離間して保持するという様態で、スペーサ要素を介して相互に結合される。そのとき、平坦構造の各々は、スペーサの２つの支持表面の一方を形成する。スペーサ要素の全てが、スペーサ構造の表面範囲全体に亙り２つの支持表面を等距離にするために同一長さであるということは必要でない。特定用途に対しては、足に対して解剖学的に適合する表面を形成すべく、スペーサはその表面範囲に沿って、異なる区域もしくは異なる箇所にて異なる厚みを有することが有利であり得る。スペーサ要素は、別体的に形成され、すなわち、２つの支持表面の間において相互に結合されなくても良い。但し、２つの支持表面の間においてスペーサ要素が接触することを可能にする可能性、及び接触部位の少なくとも幾つかにおいて、例えば、接着剤により、もしくはスペーサ要素が、加熱により接着的となる材料のような材料であって相互に溶着され得る材料から成るという事実により、スペーサ要素を相互に結合する可能性もある。スペーサ要素は、例えば、トラスもしくは格子などの更に複雑な構造のロッドもしくは細線形状の個別要素もしくは区画であり得る。スペーサ要素はまた、ジグザグ状に、又は二次元格子の形態で相互に接続され得る。別実施例において、スペーサ構造もしくは材料は、互いにほぼ平行に配置された空気透過性の２枚の平坦構造であって、相互に結合されると共に、それらの間を通る空気流を可能にする様態で単繊維もしくは多繊維により互いに離間される２枚の平坦構造により形成される。
【００７４】
別実施例において、充填物材料もしくは構造は孔質である。
【００７５】
充填物構造もしくは材料はまた、付加的実施例においては不連続的であってもよい。更なる実施例に依れば、充填物は、例えば、充填物ボールなどの球形状である多数の充填物要素を具備する。これらの充填物要素は、容器要素により受容される。充填物要素自体は、自身を空気流又は水蒸気が通ることを可能にしない材料で作成され得る。但し、充填物要素間に空隙を有する充填物要素によって、自身を空気流が、故に水蒸気が通ることを可能にする全体的構造が形成され得る。充填物要素は、それらの安定性及び快適さの特性に基づいて選択され得る。充填物構造を貫通する空気流は、充填物要素のサイズを調節することにより調節され得る。
【００７６】
更なる実施例に依れば、充填物構造には、少なくとも部分的にチャネルが構成される。チャネル構造は、上側アセンブリの下側部分の下側面と、容器要素の側壁及び／又は底部部分の少なくとも複数の部分との間における分散式空気接続を可能にする。水蒸気は、靴の内側から、底部機能層積層体を貫通し、容器要素の内側に配備されたチャネル構造に至り得る。
【００７７】
充填物構造もしくは材料と容器要素の外部との間の空気連通は、少なくとも一本の側部通路であって、水蒸気が、容器要素から出る空気流と共に容器要素の外部へ通過し得るように、容器要素の側壁を貫通延在する少なくとも一本の側部通路を通して確立される。少なくとも一本の側部通路はまた、充填物構造もしくは材料から容器要素の外部への空気流が確立される限りにおいて、充填物構造もしくは材料を通して延在しても良い。容器要素はまた、その底部部分に開口を備えても良い。
【００７８】
容器要素の側壁及び／又は底部部分は、負荷支持的であり及び／又は構造的に重要な部分である必要はなく、個々の構成要素の機能分離と靴の製造とを助力するために、単に、容器要素の内部及び外部の間の境界構造の役割を果たすだけでも良いことが指摘される。
【００７９】
内側通気性靴底要素は、空気流を可能にする材料もしくは構造で満たされた容器要素であり得る。この場合、通気性靴底要素の側壁は、容器要素の側壁と、内側通気性靴底要素を囲繞する囲繞靴底要素とにより形成され得る。
【００８０】
異なる実施例において、自身を通る空気流を可能にする構造もしくは材料は、この構造もしくは材料を支持する容器要素が必要とされない様に、本来的に安定的であり得る。それは、上側アセンブリの底部に直接的に取付けられ得る。それはまた、少なくともその側部表面上にて、例えば縫い付けもしくは接着により上側アセンブリに取付けられ得るテープにより覆われても良い。該テープは、射出の間において囲繞靴底材料もしくは外底材料が開放構造に進入することを阻止するという目的に役立ち得るか、又は構造もしくは材料を上側アセンブリに接続すべく使用された他の流体材料が進入することを阻止し得る。
【００８１】
更なる実施例に依れば、底部機能層積層体の側端部領域は、縫製継目により、上側機能層積層体の下端部領域に取付けられ得る。継目は、シール用接着剤により、又は防水性の継目用テープにより、又は囲繞靴底要素の射出成形の間に縫製継目内に且つその回りに浸透した該囲繞靴底要素の流体材料によりシールされ得る。浸透された囲繞靴底要素、すなわち、囲繞靴底要素の浸透された材料は、２つの積層体間の緊密なシールと、防水性の上側アセンブリの配備とを可能にする。
【００８２】
更なる実施例において、内側通気性靴底要素は、該内側通気性靴底要素の上側周縁部が結合部に、特に縫製継目内に配置されるように、上側アセンブリの底部部分の下方に配置される。換言すると、内側通気性靴底要素は、結合部から一定距離だけ離間して、靴の中央に向けて配置される。特に、上側周縁部は、縫製継目から、特に1mm〜4mm、更に詳細には2mm〜3mmの最小距離を有し得る。この様にして、周囲靴底材料は自由に、縫製継目内に且つその回りに浸透し得る。射出もしくは型成形された囲繞靴底材料は、機能層積層体間の結合部に至り、それをシールする。内側通気性靴底要素は、囲繞靴底材料が適用される前に、上側アセンブリの底部部分に取付けられ得る。
【００８３】
更なる実施例に依れば、通気性の外側材料の下側部分は、該下側部分を通る囲繞靴底材料の浸透を許容し、防水性シールは、通気性の外側材料の下側部分に浸透する囲繞靴底材料であって、上側機能層積層体、底部機能層積層体及び縫製継目に至る囲繞靴底材料により少なくとも部分的に形成される。囲繞靴底要素は、上側アセンブリをシールする。それは、上側アセンブリの上側部分と底部部分との間の防水性シールを考慮している。
【００８４】
更なる実施例に依れば、通気性の外側材料の下側部分はネットバンドを具備し、底部機能層積層体の側端部領域は、縫製継目により、ネットバンドに対し、特にネットバンドの下端部領域に対し、且つ上側機能層積層体の下端部領域に取付けられ、囲繞靴底材料は継目に浸透している。ネットバンドは、縫製継目に対する靴底材料の高レベルの浸透を保証する非常に効率的な手法を提供する。ネットバンドは、上側アセンブリの下側面にてほぼ水平的にのみ、又は上側アセンブリの側部部分においてほぼ垂直的にのみ配置され得る。それはまた、部分的に水平に且つ部分的に垂直に配置され、下側面と側部部分との間において上側アセンブリの角隅領域を包み込んでも良い。ネットバンド、及び通気性の外側材料の残存端部は、端部同士を接して配置され得るか、又は重なり合い部を有し得るか、又は両方ともに接続点において重ね付けられ得る。従って、ネットバンドはまた部分的に、通気性の外側材料の残余部に対して側方に配置されても良い。
【００８５】
更なる実施例に依れば、囲繞靴底要素は、上側アセンブリの下側部分の少なくとも一部分上へ、且つ内側通気性靴底要素の側部表面上へ型成形もしくは射出された材料により形成される。この様にして、上側アセンブリ及び内側通気性靴底要素は、相互に関して永続的に固定される。好適実施例において、囲繞靴底要素の配備は、以下の２つの様態の一方により達成され得る。第1の選択肢において、第1の射出成形段階は、上側アセンブリ及び内側通気性靴底要素上への囲繞靴底材料の局所的適用を提供することで、該２つの構成要素の取付けに帰着する。この第1の射出成形段階はまた、上述されたように、上側機能層積層体と底部機能層積層体との間のシールも提供し得る。囲繞靴底要素は、もし第1の射出成形段階においてシールが達成されていなければ、シールも提供する第2の射出成形段階において完了され得る。第2の選択肢においては、唯一の射出成形段階が実施され、該段階により、上側アセンブリと内側通気性靴底要素との間の取付け、上側機能層積層体と底部機能層積層体との間のシール、及び囲繞靴底要素全体の形成が達成される。故に囲繞靴底要素は、３つの機能、すなわち、内側通気性靴底要素を上側アセンブリに取付け、少なくとも一本の側部通路の配備により空気流を確実とし、且つ上側アセンブリの上側部分と底部部分との間の接続領域をシールする、という機能を実施し得る。
【００８６】
更なる実施例に依れば、靴は、上側アセンブリの下側側方部分を囲繞する囲繞接続要素であって、上側アセンブリに対し且つ通気性靴底要素の上側側方部分に取付けられることで、上側アセンブリと通気性靴底要素との間の取付けを行う囲繞接続要素を具備する。通気性靴底要素の上側側方端部は、該通気性靴底要素の側方端部及び／又は該通気性靴底要素の側部表面の上端部分を具備し、すなわち、側部通路の上方に位置する通気性靴底要素の一部分もしくは複数の部分を具備し得る。囲繞接続要素は、射出成形された材料で構成され得る。特に、囲繞接続要素は、上側アセンブリの下側部分の少なくとも複数の部分上へ、且つ通気性靴底要素の上側側方端部上へ型成形もしくは射出された材料により形成され得る。囲繞接続要素はまた、防水性シールも形成し得る。(例えば縫製継目を介して)上側アセンブリを閉じると共にそれを囲繞靴底要素と共にシールするための上述の選択肢は、囲繞靴底材料の代わりに囲繞接続要素の材料が存在するものとして、囲繞接続要素に対して等しく適用される。特に、囲繞接続要素の材料は、上側アセンブリの側面上の通気性材料の下側部分を形成するネットバンドに浸透し、且つ底部機能層積層体、上側機能層積層体、及びそれらの間の継目上へ、射出成形され得る。囲繞接続要素は、通気性靴底要素と上側アセンブリとの間の取付けを可能にし、通気性靴底要素の上側側方端部のみに影響する。この様にして、一体片の通気性靴底要素は、靴底の横方向寸法全体に亙り延在し得る。換言すると、靴底の横方向寸法全体が一体片の通気性靴底要素の設計態様として使用され得るように、囲繞靴底要素は必要とされない。
【００８７】
更なる実施例に依れば、通気性靴底要素は通気性の様態で上側アセンブリに対して接着される。
【００８８】
更なる実施例に依れば、底部機能層積層体は、上側支持布層、及び底部膜もしくは下側膜とも称される下側の通気性で防水性の機能層とを具備する二層積層体である。この実施例は、射出された靴底を備える靴において使用されることが好適である。射出された材料は、下側膜上へ直接的に浸透し得る。
【００８９】
更なる実施例に依れば、底部機能層積層体は、上側の通気性で防水性の機能層、及び下側支持布層を具備する二層積層体である。この実施例は、接合／接着された靴底を備える靴において使用されることが好適である。
【００９０】
更なる実施例に依れば、通気性靴底要素は、該通気性靴底要素から突出する円環状唇部を具備する。更なる実施例に依れば、内側通気性靴底要素は、該内側通気性靴底要素の上側周縁部の近傍に配置された円環状唇部を具備し、該円環状唇部は、内側通気性靴底要素から、上方すなわち垂直、及び横方向外方すなわち水平を含め、それらの間における方向に突出する。円環状唇部は、(内側)通気性靴底要素を上側アセンブリに取付ける手段を提供する。斯かる取付けは靴の製造の間における利点を与える、と言うのも、上側アセンブリ及び(内側)通気性靴底要素は、工場内で一つの製造ステーションから次のステーションまで容易に搬送されるユニットとして取扱われ得るからである。付加的に／代替的に、円環状唇部は、例えば、囲繞靴底要素の射出成形の間に周囲靴底材料が所望箇所に維持され得るように、周囲靴底材料に対する障壁を提供する。
【００９１】
更なる実施例において、通気性靴底要素、特に内側通気性靴底要素は、複数の唇部区画を具備する。これらの唇部区画は、部分的取付け及び／又はシールのために配備され得る。唇部区画は、円環状唇部に関して上で論じられたように、(内側)通気性靴底要素上に配置され得る。特定実施例において、内側通気性靴底要素は、踵領域において上側周縁部の近傍における第1唇部区画と、前足領域において上側周縁部の近傍における第2唇部区画とを具備する。第1及び第2の唇部区画は、内側通気性靴底要素の上側表面から上方に垂直に延在し得る。
【００９２】
特定実施例において、円環状唇部／複数の唇部区画は、内側通気性靴底要素の上側表面上、特に、内側通気性靴底要素の側縁部から離間された位置に配備され得る。側縁部と円環状唇部／複数の唇部部分との間のこの間隔は、内側通気性靴底要素の上側側縁部の回りに対する周囲靴底材料の浸透を可能にする。上側側縁部が、上側機能層積層体と底部機能層積層体との間の結合部と整列される実施例において、周囲靴底材料は依然として結合部の回りに浸透すると共に、両方の積層体の夫々の部分を覆う効果的なシールを提供し得る。間隔は、1〜5mmの範囲内、更に詳細には2〜3mmの範囲内であり得る。円環状唇部／複数の唇部区画の高さは、0.5〜3mm、特に約1mmであり得る。
【００９３】
更なる実施例において、円環状唇部は、上側アセンブリの下側部分に対し、特にシュトローベルもしくはジグザ様式で縫合される。円環状唇部はまた、射出成形された材料により、上側アセンブリの下側部分に対して接着されるかもしくは取付けられ得る。
【００９４】
内側通気性靴底要素が円環状唇部を具備する好適実施例において、円環状唇部は、第1の射出成形段階において上側アセンブリに取付けられ、第1の射出成形段階は、上側機能層積層体と底部機能層積層体との間の接続部もシールする。少なくとも一本の側部通路を有する囲繞靴底要素は、次に、第2の射出成形段階で形成され得る。
【００９５】
更なる実施例に依れば、底部機能層積層体は、その下側面に、支持部材、特に、ドットもしくは瘤状部を備える。ドットは、底部機能層積層体の機能層が、該底部機能層積層体の下方に配置された靴底もしくは靴底要素、特に内側通気性靴底要素の頂部上に直接的に位置しないことを保証する。ドットは、靴底要素の頂部上に位置すると共に、靴底要素と底部機能層積層体との間の距離の維持を保証する。ドットは、底部機能層積層体と、下方の靴底要素との間の把持を増進する。ドットは、靴底要素に適合した特定のパターンもしくは格子であって、使用の間に底部機能層積層体が変位されることを阻止する特定パターンもしくは格子で配置され得る。ドットはまた、底部機能層積層体の下側面の全体に亙り、任意の様態で、形状化されて分布され得る。更に、ドットは、靴底要素のあり得る不均一な表面を補償し得る。それらは、靴底要素における縁部／凹所が底部機能層積層体に押し込まれることを阻止し得ることから、装着者の快適さが増進される。靴底要素、すなわち(内側)通気性靴底要素がチャネル構造を具備する実施例において、ドットの適切な配置により、使用の間に、底部機能層積層体がチャネル構造のチャネル内へ押し込まれることが阻止される。更に、ドット及びチャネル構造は、ドットが、該ドットの下方のチャネル構造における空気交換を支援するように機能的ユニットを形成し得る。特定実施例において、ドットのパターンは、靴の内部からチャネルシステムへの水蒸気放出が最大化されるように、(内側)通気性靴底要素のチャネルシステムに対して少なくとも部分的に対応し得る。
【００９６】
特に、底部機能層積層体の表面上に不連続ライニング形成パターンを形成する複数の個別的な耐摩耗性ポリマ・ドットが配備され得る。特定実施例において、ポリマ・ドットは、円滑で丸み付けされ、角張らない外部表面を有する。それらは、平面視にてほぼ円形であり、且つ断面は部分的に球形であり得る。このことは、装着者に対する靴の円滑で快適な感覚の提供に寄与する。ドットは、複数の平行列などのような反復的な規則的パターン、又は無作為パターンで配置され得る。特定実施例において、ポリマ・ドットは、底部機能層積層体の面積の20〜80％、更に詳細には30〜70％、更に詳細には40〜60％を覆う。
【００９７】
特定実施例において、ドットは、基材の平面において、例えば、100〜1000ミクロン、好適には200〜800、特に400〜600ミクロンの範囲である、5000ミクロン未満の最大の横寸法すなわち幅である。ドットは、中心間で、200〜2000ミクロン、詳細には300〜1500、特に400〜900ミクロンだけ離間され得る。ドットは、10〜200ミクロンの範囲、好適には70〜140、特に80〜100ミクロンの範囲内の高さを有し得る。
【００９８】
更なる実施例に依れば、通気性靴底要素の少なくとも一部分の頂部上には、水蒸気透過性の快適層が配備される。特に、快適層は内側通気性靴底要素の頂部上に配備され得る。快適層は内側通気性靴底要素よりも大きな側方延在範囲を有し、特に内側通気性靴底要素を越えて0.5mm〜2mmだけ突出し、更に詳細には内側通気性靴底要素を越えて約1mmだけ突出し得る。快適層は、上述された充填物構造もしくは材料の頂部上にのみ配備されることも可能である。快適層は、通気性靴底要素の不均一な上側表面を補償すべく配備され得る。自身を通る空気流を可能にする構造もしくは材料として、通気性靴底要素は、不均一なもしくはギザギザした構造を有し得る。特に、チャネルシステムもしくはチャネル格子は、通気性靴底要素の空隙及び靴底材料の交互配置的な部分を引き起こし得る。快適層は、これらの不均一な部分により靴の装着者に対して引き起こされることのある不快さを、相当に低減するかもしくは阻止し得る。水蒸気透過性の快適層は、装着者に対して高度の快適さを提供する任意の適切な材料であって、使用の間に自身に対して付与される負荷及び力に耐え得る任意の適切な材料であり得る。代表的な材料は、開放セルのポリウレタンである。例えば、材料は、中国のジン・チェン・プラスチック社(Jin Cheng Plastic)からのPOLISPORT（登録商標）であり得る。一実施例に依れば、快適層を通気性靴底要素上に組み付ける前に、快適層の材料に対して機械的圧力が付与され、例えば、2mmから1mmへ厚みが圧縮される。このことは、材料を更に稠密として、吸収される水分の量を低下させるために行われ得る。これにより、材料が、真菌などの成長を促進するスポンジとして機能することが好適に回避される。
【００９９】
水蒸気透過性の快適層は、特に、スポット的又は円周的な接着により、又は通気性接着剤により表面全体に亙り接着することにより、通気性靴底要素の頂部に取付けられ得る。スポット的な接着、又は表面全体に亙る接着によれば、(内側)通気性靴底要素における増進された空気流特性が達成され得る、と言うのも、上部側にて囲繞されたチャネルが形成され得るからである。
【０１００】
更なる実施例に依れば、快適層は、上側面及び下側面を有し、上側面は上側アセンブリの底部部分に面し、下側面は通気性靴底要素に面し、下側面は屈曲的に剛性もしくは堅固であり且つ上側面は柔軟である。下側の堅固な面は織成もしくは不織の布地で作成され得ると共に、上部側は、例えば不織のもしくは発泡されたポリウレタンなどの任意の円滑で柔軟な材料で作成され得る。快適層は、２つの個別層から成り得る。下側層が比較的に堅固又は硬質とされることで、快適層は、通気性靴底要素のチャネル構造内へ1mmを超えて押圧されることが阻止され得る。堅固さもしくは曲げ剛性は、例えば、布に関するドイツのDIN規格53864に規定されている。この様にして、快適層の特性は望まれるように維持され、該快適層は靴の使用の間において非常に耐久性がある。柔軟な上側層は、装着者の足に対して靴底の非常に快適な感覚を提供し得る。本発明の実施例において、柔軟な上側層は、頂部と谷部との間の差が0.1mm以下である円滑な表面を有する。
【０１０１】
特定実施例において、快適層の上側層及び下側層の両方がポリエステルで作成される。上側層及び下側層は、ホットメルト接着剤を介して結合され得る。
【０１０２】
特定実施例において、上側層及び下側層の材料特性は以下の如くである。堅固な下側層は以下の特性を有する：長さ方向における400N/5cm〜700N/5cm(UNI EN 29073/3)、特に500N/5cm〜600N/5cmの引張強度；及び横方向における500N/5cm〜800N/5cm(UNI EN 29073/3)、特に600N/5cm〜700N/5cmの引張強度。柔軟な上側層は以下の特性を有する：長さ方向及び横方向における50N/5cm〜200N/5cm(UNI EN 29073/3)、特に100N/5cm〜150N/5cmの引張強度。
【０１０３】
更なる実施例において、快適層は、2.0mm以下の厚み、＜45重量％の吸水率、及び＞5000g/m2/24h、好適には約8000g/m2/24hのMVTR(水蒸気透過率)を有する。一実施例において、機能層もしくは膜は、快適層の上方にて通気性靴底要素に取付けられ得る。快適層と膜との組合せ物は、＞2000g/m2/24h、好適には約4500g/m2/24hのMVTRを有する。MVTRは、DIN EN ISO 15496に記述された酢酸カリウム試験に従い測定された。
【０１０４】
上の段落に記述された快適層は、本明細書中に記述される構成に限られずに、任意の種類の靴底もしくは靴の構成において使用され得る。特に、本発明はまた、靴又は靴底の構成における斯かる快適層の配備も全体的に提案する。この様相は、本明細書中に記述される他の様相から独立して、認識されるべきであり且つ適用され得る。従って、この様相及びその実施例は、本明細書中に記述される他の様相から独立して、権利請求された発明の別の部分を構成し得る。
【０１０５】
更なる実施例に依れば、通気性靴底要素の下側面は、外底の少なくとも一部分を形成する。特に、囲繞靴底要素の下側面及び内側通気性靴底要素の下側面は、外底の少なくとも一部分を形成し得る。この外底は、トレッドを有しても有さなくても良い。内側通気性靴底要素の下側面は、囲繞靴底要素の下側面と比較して高位の位置に配置され得る。故に、この場合、内側通気性靴底要素及び囲繞靴底要素はいずれも外底の一部分を形成するが、この外底の囲繞靴底要素の部分のみが地面に接触する。
【０１０６】
更なる実施例に依れば、囲繞靴底要素は第1のポリウレタンから成り、且つ内側通気性靴底要素は、第1のポリウレタンよりも柔軟である第2のポリウレタンから成る。特に、第2のポリウレタンは35〜45のショアＡ値を有し得る。この様にして、内側通気性靴底要素は硬すぎず、且つ良好な緩衝特性を提供する。囲繞靴底要素及び内側通気性靴底要素は同一のポリウレタンから成ることも可能であるが、それらは別の製造段階において作製される。ショア硬度は、デュロメータ試験により測定される。ポリウレタンのスポットに対して力が付与されることから、力は凹所を形成する。次に、凹所が消失するために必要な時間が測定される。
【０１０７】
更なる実施例に依れば、外底の少なくとも一部分を形成する付加的な靴底要素が配備され、該付加的な靴底要素は通気性靴底要素の下方に配置される。付加的な靴底要素の複数の部分は、容器要素の横方向外側にも配置され得る。付加的な靴底要素は必ずしも、通気性靴底要素の直近に配置される必要はない。
【０１０８】
更なる実施例に依れば、支持部材が付加的な靴底要素の複数の部分に形成され、該支持部材は付加的な靴底要素を貫通してほぼ垂直に延在する。
【０１０９】
更なる実施例に依れば、靴底快適層が配備される。特に、靴底快適層は、外底の上方に配置された付加的な靴底層の形態で配備され得る。更に詳細には、靴底快適層は、通気性靴底要素と、外底の少なくとも一部分を形成する付加的な靴底要素との間に配置される。靴底快適層は必ずしも、靴底の側方延在範囲全体に亙り延在する必要はない。
【０１１０】
更なる実施例に依れば、囲繞靴底要素は内側通気性靴底要素の下方に延在する。特に、囲繞靴底要素は、外底の少なくとも一部分を形成し得る。囲繞靴底要素の下方に付加的な靴底要素が配置されることで外底要素を形成することが可能である。付加的な靴底要素は必ずしも、囲繞靴底要素の直近に配置される必要はない。例えば、付加的な靴底快適層のような、更なる層が中間に配置され得る。
【０１１１】
更なる実施例に依れば、内側通気性靴底要素の下方において囲繞靴底要素の複数の部分に、該囲繞靴底要素をほぼ垂直に貫通延在する支持部材が形成される。支持部材はまた、通気性靴底要素の下方に配置された他の任意の要素もしくは層内に形成されても良い。
【０１１２】
更なる実施例に依れば、少なくとも一本の側部通路内には、少なくとも一つの中空インサートが配備される。少なくとも一つの中空インサートは、取外し可能であり得る。それは、自身の中心に孔を備えたインサート・ヘッドのような、自身内に開口を備えるカバーを有し得る。少なくとも一本の側部通路内に少なくとも一つの取り外し可能な中実インサートが配備されることも可能である。代替的に、部分的に中空のインサートが、中実のカバー／ヘッドを有しても良い。
【０１１３】
更なる実施例に依れば、底部機能層積層体の上方には、すなわち、靴の使用の間において装着者の足と底部機能層積層体の頂部との間、又は装着者の足と内底との間には、通気性の内底もしくは足用敷物が取外し可能に配備される。内底は、装着者の足に対する靴の更に良好な適応を考慮し得ることから、装着者の快適さを高め得る。斯かる内底は、革、繊維、ポリウレタンなどで作成され得る。これらの材料における穿孔は、必要な通気性を保証し得る。但し、内底は、それ自体が通気性である材料で作成されても良い。
【０１１４】
本発明の第２の様相に依れば、自身を通る空気流を可能にする構造もしくは材料を有する通気性靴底要素を具備する靴底又は靴底アセンブリであって、前記構造もしくは材料からは通気性靴底要素の側壁を貫通して少なくとも一本の側部通路が延在し、該側部通路は、通気性靴底要素の前記構造もしくは材料と該通気性靴底要素の外部との間の空気の連通を可能にする、靴底もしくは靴底アセンブリが提供される。
【０１１５】
通気性靴底要素に関して上で論じられた改変は、靴底に対しても等しく適用可能である。靴底は、上述された有利な特性を有する靴の製造を可能にする。快適層は靴底の一部であることが指摘される。
【０１１６】
本発明の更なる様相に依れば、防水性且つ通気性の靴を製造する、請求項３７、３９及び４０の特徴に従う方法が提供される。
【０１１７】
特に、本発明の様相に依れば、
通気性の外側材料を含む上側部分と、底部部分とを備える上側アセンブリであって、上側部分及び底部部分の全体に亙り延在する防水性且つ通気性の機能層配列体を具備する上側アセンブリを配備する段階と、
自身を通る空気流を可能にする構造もしくは材料を有する通気性靴底要素を上側アセンブリに取付ける段階と、を含む防水性且つ通気性の靴を製造する方法であって、
前記構造もしくは材料から、通気性靴底要素の側壁を貫通して少なくとも一本の側部通路が延在し、前記側部通路は、通気性靴底要素の前記構造もしくは材料と、通気性靴底要素の外側との間の空気の連通を可能にする、
防水性且つ通気性の靴を製造する方法が提供される。
【０１１８】
防水性且つ通気性の靴及びその実施例に関して上述されたように、機能層配列体は、一つ以上の機能層片、又は一つ以上の機能層積層体片で構成され得る。これらの部材片は、例えば、シール・テープの適用により、又はシール材料の射出成形により、又はそれらを相互に溶着することにより、又は重なり合い領域において各部材片を加熱すると共に、防水性シールが形成されるに十分な力でそれらを互いに押圧することによるなど、任意の適切な様態で相互に関してシールされ得る。
【０１１９】
更なる実施例に依れば、通気性靴底要素は、上側アセンブリに対して接着され得る。通気性靴底要素は、射出成形により、特に、射出成形された囲繞接続要素の適用により、上側アセンブリに取付けられることも可能である。更なる実施例に依れば、通気性靴底要素は内側通気性靴底要素及び囲繞靴底要素を具備し、この通気性靴底要素複合体は、接着により、又は手囲繞靴底要素を内側通気性靴底要素及び上側アセンブリ上へ射出成形することにより、上側アセンブリに取付けられる。
【０１２０】
更なる実施例に依れば、上側アセンブリを配備する段階は、上側アセンブリの上側部分に、下端部領域を有する防水性且つ通気性の上側機能層積層体を配備する段階と、上側アセンブリの底部部分に、側端部領域を有する防水性且つ通気性の底部機能層積層体を配備する段階と、底部機能層積層体の側端部領域を上側機能層積層体の下端部領域に結合する段階と、底部機能層積層体と上側機能層積層体との間に防水性シールを配備する段階とを含む。
【０１２１】
特に、本発明の別の様相においては、
上側アセンブリの上側部分であって、通気性の外側材料と、下端部領域を有する防水性且つ通気性の上側機能層積層体とを含む上側部分を配備する段階と、
上側アセンブリの底部部分であって、側端部領域を有する防水性且つ通気性の底部機能層積層体を含む底部部分を配備する段階と、
底部機能層積層体の側端部領域を、上側機能層積層体の下端部領域に結合する段階と、
自身を通る空気流を可能にする構造もしくは材料を有する通気性靴底要素を配備する段階であって、通気性靴底要素は、前記構造もしくは材料から、通気性靴底要素の側壁を貫通して延在する少なくとも一本の側部通路を具備し、側部通路は、通気性靴底要素の前記構造もしくは材料と、通気性靴底要素の外側との間の空気の連通を可能にする、通気性靴底要素を配備する段階と、
通気性靴底要素を、囲繞接続要素の射出成形により、上側アセンブリに取付ける段階であって、囲繞接続要素が、底部機能層積層体と上側機能層積層体との間に防水性シールを提供する、通気性靴底要素を上側アセンブリに取付ける段階とを含む、
防水性且つ通気性の靴を製造する方法が提供される。
【０１２２】
特に、本発明の別の様相に依れば、
上側アセンブリの上側部分であって、通気性の外側材料と、下端部領域を有する防水性且つ通気性の上側機能層積層体とを含む上側部分を配備する段階と、
上側アセンブリの底部部分であって、側端部領域を有する防水性且つ通気性の底部機能層積層体を含む底部部分を配備する段階と、
底部機能層積層体の側端部領域を、上側機能層積層体の下端部領域に結合する段階と、
自身を通る空気流を可能にする構造もしくは材料を有する内側通気性靴底要素を配備して、該内側通気性靴底要素を、囲繞靴底要素を介し、特に該囲繞靴底要素の射出成形により、上側アセンブリに取付ける段階と、を含む防水性且つ通気性の靴を製造する方法であって、
前記構造もしくは材料からは、内側通気性靴底要素の側壁を貫通し且つ囲繞靴底要素を貫通して少なくとも一本の側部通路が延在し、該側部通路は、通気性靴底要素の前記構造もしくは材料と、通気性靴底要素の外側との間の空気の連通を可能にし、囲繞靴底要素は、底部機能層積層体と上側機能層積層体との間に防水性シールを提供する、
防水性且つ通気性の靴を製造する方法が提供される。
【０１２３】
上述された防水性且つ通気性の靴を製造する各方法は、上に定義された本発明の様相に従い防水性且つ通気性の靴を作製するための代替策である。第1の代替策は、防水性且つ通気性の上側アセンブリの配備と、自身を通る空気流を可能にする構造もしくは材料、及び少なくとも一本の側部通路を具備する通気性靴底要素の取付けとに関する。第2の代替策は、通気性の上側アセンブリの配備と、自身を通る空気流を可能にする構造もしくは材料、及び少なくとも一本の側部通路を具備する通気性靴底要素の配備とに関する。上側アセンブリと通気性靴底要素との間の取付け、並びに上側アセンブリの防水性シールは、囲繞接続要素の射出成形により達成される。第3の代替策は、通気性の上側アセンブリの配備と、自身を通る空気流を可能にする構造もしくは材料を具備する通気性靴底要素の配備とに関する。囲繞靴底要素の射出成形によれば、内側通気性靴底要素と上側アセンブリとの間の取付け、並びに上側アセンブリの防水性シール、並びに囲繞靴底要素貫通する少なくとも一本の側部通路の配備が提供される。
【０１２４】
更なる実施例に依れば、少なくとも一本の側部通路は少なくとも部分的に、通路を形成すべく、特定の材料のレーザー処理又は穿孔又は穿刺又は熱的除去(溶融除去)することにより形成される。換言すると、少なくとも一本の側部通路は、該少なくとも一本の側部通路を形成するためのピンを成形型に配備することにより、射出成形の間に形成され得る。但し、成形型は、ピンを備えず、又は側部通路の延在範囲の一部のみを有するピンを備え、側部通路は、レーザー処理、穿孔、穿刺、又は熱的除去の内の一つ以上により完成される。レーザー処理は極めて正確な結果を提供する一方で、穿孔及び穿刺は更に安価に実施され得る。
【０１２５】
防水性且つ通気性の靴を製造する前記各方法は、防水性且つ通気性の靴に関して上で論じられた改変に対応して改変され得る。換言すると、防水性且つ通気性の靴を製造する前記各方法には、付加的な靴要素／特徴に対応する製造段階が含まれ得る。本発明の前記の様相に従い防水性且つ通気性の靴を製造する各方法に対して与えられた取付け段階は、取付けのための唯一の段階であり得ることが明示的に指摘される。但し、所定の要素間の付加的な取付けが存在することも可能である。
【図面の簡単な説明】
【０１２６】
【図１】本発明の第１実施例に係る靴の主要構成要素の立体的分解図である。
【図２ａ】本発明の第２実施例に係る靴の概略断面図である。
【図２ｂ】本発明の第３実施例に係る靴の概略断面図である。
【図２ｃ】本発明の第４実施例に係る靴の概略断面図である。
【図２ｄ】本発明の第５実施例に係る靴の概略断面図である。
【図３ａ】本発明の第６実施例に係る靴の概略断面図である。
【図３ｂ】本発明の第７実施例に係る靴の概略断面図である。
【図３ｃ】本発明の第８実施例に係る靴の概略断面図である。
【図３ｄ】本発明の第９実施例に係る靴の概略断面図である。
【図３ｅ】本発明の第１０実施例に係る靴の概略断面図である。
【図３ｆ】本発明の第８実施例に係る靴底の概略断面図である。
【図４ａ】本発明の第１１実施例に係る靴の概略断面図である。
【図４ｂ】本発明の第１２実施例に係る靴の概略断面図である。
【図５】本発明の第１３実施例に係る靴の概略断面図である。
【図６ａ】本発明の第１４実施例に係る靴の概略断面図である。
【図６ｂ】本発明の第１５実施例に係る靴の概略断面図である。
【図６ｃ】本発明の第１６実施例に係る靴の概略断面図である。
【図７】本発明の第１７実施例に係る靴の概略断面図である。
【図８ａ】本発明の第１８実施例に係る靴の概略断面図である。
【図８ｂ】本発明の第１９実施例に係る靴の概略断面図である。
【図９】本発明の第２０実施例に係る靴の概略断面図である。
【図１０ａ】本発明の第２１実施例に係る靴の概略断面図である。
【図１０ｂ】本発明の第２２実施例に係る靴の概略断面図である。
【図１１】本発明の更なる実施例に係ると共に、図１に係る通気性靴底要素を具備する靴の分解図である。
【図１２】図１１の靴を長手方向に貫通延在する切断平面に沿って獲得された該靴の断面図である。
【図１３】本発明に係る図１１及び図１２の靴の通気性靴底要素の平面図である。
【図１４】図１１及び図１２の靴の通気性靴底要素の縦軸線に沿って獲得された断面図である。
【図１５】図１３における切断平面Ｖ−Ｖに沿って獲得された図１１及び図１２の靴の通気性靴底要素の断面図である。
【図１６ａ】図１３における切断平面Ｗ−Ｗに沿って獲得されると共に、唇部を付加的に備える、図１１及び図１２の靴の通気性靴底要素の断面図である。
【図１６ｂ】図１６ａの断面図の詳細部、すなわち、通気性靴底要素の左側部分の拡大図である。
【図１７】切断平面Ｘ−Ｘに沿って獲得された図１１及び図１２の靴の通気性靴底要素の断面図である。
【図１８ａ】周縁チャネルの左側部分を貫通する断面切断部を具備する図１７における詳細部Ｂの拡大図により例証されるチャネル形状の異なる好適実施例を示す図である。
【図１８ｂ】周縁チャネルの左側部分を貫通する断面切断部を具備する図１７における詳細部Ｂの拡大図により例証されるチャネル形状の異なる好適実施例を示す図である。
【図１８ｃ】周縁チャネルの左側部分を貫通する断面切断部を具備する図１７における詳細部Ｂの拡大図により例証されるチャネル形状の異なる好適実施例を示す図である。
【図１８ｄ】周縁チャネルの左側部分を貫通する断面切断部を具備する図１７における詳細部Ｂの拡大図により例証されるチャネル形状の異なる好適実施例を示す図である。
【図１９】本発明の更なる実施例に係る別の通気性靴底要素の平面図である。
【発明を実施するための形態】
【０１２７】
以下においては、本発明の原理に従う靴の好適実施例が記述される。当業者であれば、適切な限りにおいて、且つ夫々の靴の構成の特定の必要性に応じて、種々の変更もしくは調整が為され得ることを認識し得よう。
【０１２８】
図１は、本発明の実施例に係る靴300の主要構成要素の立体的分解図を示している。靴300は、靴底アセンブリ7及び防水性の上側アセンブリ8を具備する。一方、靴底アセンブリ7は、該分解図の底部から頂部にかけて、外底90、土踏まず芯(shank)172、内側通気性靴底要素60、快適層40、及び囲繞靴底要素80を具備する。
【０１２９】
図１の主目的は、以下の各図に対する状況を提供することである。水平線Ｙ−Ｙを含む垂直面の位置は、以下の各図において描かれた断面平面に対応する。以下の各図の実施例は靴300とは異なるが、夫々に描かれた垂直断面平面の位置及び視認方向は、視認方向を表す線Ｙ−Ｙ及び付随する矢印から推察され得ることが指摘される。
【０１３０】
外底90は、その下側表面上に、歩行の間において靴の把持特性を向上させるために、トレッドもしくは波形構造を具備する。土踏まず芯172は、靴300において配備されることで、該靴に対して付加的な安定性を与える。土踏まず芯172は、金属、又は他の任意で適切な材料で作成され得る。図１の例示的な性質に起因して、土踏まず芯172は別体的な要素として示される。但し、殆どの実施例において、土踏まず芯172は内側通気性靴底要素60内に配置される。土踏まず芯172は任意選択的な構成要素であり、殆どの実施例において示されないことが指摘される。
【０１３１】
内側通気性靴底要素60は、チャネル構造、特にチャネル格子をその上側部に具備する。該チャネル構造は、全体的に参照番号181で表される横方向チャネルを具備する。横方向チャネル181に対し、チャネル184が交差する。図１１〜図１９に関し、チャネル構造の周縁領域において形成されている少なくとも一本の周縁チャネルと、長手方向チャネルとが区別される。図２〜図１０において断面図を呈示することにより異なる靴構成を記述する上での簡潔さのために、チャネル184は概ね長手方向チャネルと称されるが、示されたチャネルの断面の一つ以上は、一つ以上の周縁チャネルに属してもよい。
【０１３２】
内側通気性靴底要素60は、上側表面606、下側表面604及び側部表面602を有する。靴300の組立て状態において、内側通気性靴底要素60の下側表面604は部分的に土踏まず芯172に隣接し、内側通気性靴底要素60の上側表面606は快適層40に隣接し、且つ内側通気性靴底要素60の側部表面602は囲繞靴底要素80の側部内側面802に隣接する。個々の構成要素の係合／接続に関し、更なる詳細は以下に与えられる。
【０１３３】
チャネル構造、特に横方向チャネル181は、複数の側部通路50と空気連通する。側部通路50は、内側通気性靴底要素60の側壁を貫通し且つ囲繞靴底要素80を貫通して延在し、すなわち、それらは内側通気性靴底要素60のチャネル構造から、囲繞靴底要素の外側側部表面804まで延在する。内側通気性靴底要素60及び囲繞靴底要素80の組み合わせを通気性靴底要素と称すると、側部通路50は、該通気性靴底要素の側壁を貫通延在する。側部通路の２つの区画を区別するために、内側通気性靴底要素60の側壁を貫通延在する側部通路50の部分は本明細書中では側部開口とも称され、且つ囲繞靴底要素80を貫通延在する側部通路50の部分は本明細書中では側部通路部分とも称される。
【０１３４】
囲繞靴底要素80は、その周縁部の全体に亙り、変化する高さを有し、側部通路は異なる高さに配置される。この様にして、側部通路の位置は、内側通気性靴底要素60の不均一な表面構造を考慮しており、これは、歩行の間における装着者の足及びその位置を考慮するものである。各構成要素の好適実施例は、以下に相当に詳細に記述される。
【０１３５】
図２ａは、本発明の実施例に係る靴301aの概略断面図である。図２〜図１０は特に概略的である、と言うのも、それらはＵ字形状の靴部分を示すからである。当業者であれば、靴は、頂部にて、特に前足の領域において閉じられることは明らかである。
【０１３６】
靴301aは、上側アセンブリ8及び靴底アセンブリ7を具備する。上側アセンブリ8は、上側部分10及び底部部分20を有する。上側部分10は、外側から内側にかけて、上側材料とも称される通気性の外側材料11、メッシュ12、上側膜13、及び布ライニング14を具備する。メッシュ12、上側膜13及び布ライニング14は、上側機能層積層体17とも称される積層体として配備される。上側膜13は、通気性でありかつ防水性である。上側材料11、メッシュ12及び布ライニング14の全てが通気性すなわち水蒸気透過性なので、上側部分10は全体として通気性かつ防水性である。
【０１３７】
上側材料11は、革、スエード、布、又は合成織地などの、靴の外側部を形成するのに適した任意の通気性材料であり得る。
【０１３８】
上側機能層積層体(すなわち、メッシュ12、上側膜13及び布ライニング14)は、市販されているダブリュ・エル・ゴア・アンド・アソシエーツ社からのGORE-TEX（登録商標）ラミネートのような、任意の適切な防水性且つ通気性の積層体であり得る。
【０１３９】
外側材料11の下側部分は、ネットバンド15から構成される。該ネットバンド15は、例えば、縫合もしくは接着剤結合などの任意の適切な接続様式で、外側材料11の残余部に取付けられ得る。図２ａの好適実施例において、ネットバンド15は、接続線により図示されたように、縫い目16を介して外側材料11の残余部に取付けられる。ネットバンドという用語が示唆する様に、外側材料のこの部分は、連続的な材料ではなく、該材料における複数の空隙であって、後に説明されるように、流体的靴底材料が該空隙に浸透することを可能にする空隙を具備する。ネットバンドを配備する代わりに、下側部分は外側材料の残余部と同一の材料で構成され、各空隙は、外側材料を下側部分にて穿刺もしくは穿孔することにより形成されても良い。
【０１４０】
底部部分20は、底部から頂部にかけて、下側膜21及び支持布22を具備する。前記布は、織られた、不織の、又は例えばキャンブレル(Cambrelle)（登録商標）などの編まれた布であり得る。下側膜21及び支持布22は、底部機能層積層体24とも称される積層体として配備される。下側膜21は、防水性且つ通気性である。支持布22が通気性なので、全体的に通気性かつ防水性である底部機能層積層体24が提供される。底部機能層積層体24は、例えば、市販されているダブリュ・エル・ゴア・アンド・アソシエーツ社からのGORE-TEX（登録商標）ラミネートなどの任意の適切な積層体であり得る。
【０１４１】
上側部分10及び底部部分20は、それらの夫々の端部領域において互いに接続される。特に、上側機能層積層体17の下側の端部領域は、底部機能層積層体24の側端部領域に接続される。図２ａの実施例において、この接続構造は、ネットバンド15の端部領域を、上側機能層積層体17及び底部機能層積層体24に対しても接続する。底部機能層積層体24、上側機能層積層体17及びネットバンドは、例えば、シュトローベル(strobel)縫い目又はジグザグ縫い目により、相互に縫合される。従って、底部機能層積層体24と、(ネットバンド15を介して)外側材料11と、上側機能層積層体17とを接続する縫製継目の形態で、結合部30とも称される接続部30が形成される。この継目30は、上側部分10及び底部部分20により防水構造が形成されるように、後に説明される様に、靴底材料により防水様態でシールされる。
【０１４２】
上側機能層積層体17及び底部機能層積層体24は、図２ａに示されたように相互に接続されてシールされる前に、端部同士を接して配置され得る。両方の積層体はまた、各積層体の上側の夫々の部分が相互に隣接して配置されるように、下方にも屈曲され得る。これらの種々の位置において、各積層体は、例えば、示されたように縫い目により接続され得ると共に、該接続領域はシールされ得る。外側材料11のネットバンド15は、接続部30が該ネットバンド15を底部機能層積層体24及び上側機能層積層体17に対しても接続するように、上側機能層積層体17に対応して配置され、すなわち、底部機能層積層体24に対して端部同士が接する関係又は重なり合う関係又は屈曲した関係で配置され得る。ネットバンド15はまた接続部30を通して延在しても良く、それは、その孔質構造の故に重大ではない。接続部30を形成するためのこれらの種々の選択肢は、本明細書中に記述される全ての実施例に対して適用され得る。
【０１４３】
図２ａの実施例において、上側機能層積層体17と底部機能層積層体24との間の接続部30は靴301aの内側部の略水平部分に配置されており、前記略水平部分は装着者の足裏面を支持することが意図されている。図２ａの断面平面において、接続部30は、略水平部分の側端部に接近しており、すなわち、足の重量を支持する部分が靴の側壁へ移行する点に接近している。靴301aの性質に起因して、底部機能層積層体24はほぼ足形状の構造であり、上側機能層積層体17はそれに対して周縁部にて接続されている。水平及び垂直という用語は、靴が、靴底を平らな地面上に載置したときに存在する水平方向及び垂直方向を指すことが指摘される。更に容易な理解のために、各靴は、夫々の図を通して、前記配向で描かれる。
【０１４４】
靴301aの靴底もしくは靴底アセンブリ7は、すなわち、上側部分10及び底部部分20から成る上側アセンブリ8の下方の靴301aの部分は、通気性靴底要素及び快適層40から構成される。一方、通気性靴底要素は、内側通気性靴底要素61及び囲繞靴底要素81を具備する。
【０１４５】
内側通気性靴底要素61は、該内側通気性靴底要素61の上側部と側部通路50との間の空気連通を可能にするチャネル構造160を具備する。側部通路50は、通気性靴底要素の側壁702を貫通して延在する。特にそれらは、内側通気性靴底要素61の側壁608を貫通し、且つ囲繞靴底要素81を貫通して延在する。図２〜図１０の更に容易な読取りのために、参照番号608及び702は、内側の通気性靴底要素の側壁の側方延長部と、通気性靴底要素の側壁とを夫々図示する括弧を備えている。但し、参照番号608及び702は、内側の通気性靴底要素自身の側壁、及び通気性靴底要素自身の側壁を表すことが意味されることは理解されるであろう。図２ａのチャネルシステム160は、靴301aの長手方向に配置された複数本の長手方向チャネル184、及び靴301aの横方向、すなわち、該靴の長手方向に対して直交する方向に配置された複数本の横方向チャネル181を具備する。
【０１４６】
図２ａの断面図は、図１の水平線Ｙ−Ｙに沿ってチャネル構造160の横方向チャネル181を切断している。故に、内側通気性靴底要素61の横方向チャネル181は、ハッチング様式では示されない、と言うのも、断面切断部は開放チャネルを通って広がるからである。それとは対照的に、チャネル構造160を囲繞する内側通気性靴底要素61と、囲繞靴底要素81との部分は、ハッチング様式で示されることで、図２ａの断面は、描かれた断面平面において、これらの靴要素を貫通して切り分けていることを図示している。これに対して、上側アセンブリ8及び快適層40は、ハッチング様式で示される。
【０１４７】
図２ａの断面図において、長手方向チャネル184は、それらの断面形状で視認され、該形状は、内側通気性靴底要素61の上側表面606から、該内側通気性靴底要素61の下側表面604に向けて一定の距離に到達するＵ字形状である。図２ａの断面において切断された横方向チャネル181は、断面平面の背後に位置する長手方向チャネル間の部分から成る表面により限られる。従って、描かれた横方向チャネル181は、図２ａの断面平面の背後にて長手方向に延在しており、そのとき内側通気性靴底要素61の影無し部分であって、Ｕ字形状の長手方向チャネル184を囲繞する影無し部分が、横方向の境界表面を形成している。Ｕ字形状の長手方向チャネル184のみが、図２ａの断面平面の背後及び前方の更なる横方向チャネルに対する長手方向の空気流許容接続を形成する。
【０１４８】
長手方向チャネル及び横方向チャネルのＵ字形状は、流体連通のための十分なチャネル体積の提供、装着者の足を支持する強力な内側の通気性靴底要素構造の提供、及び地面及び／又は囲繞靴底要素81に対する装着者の体重の伝達の間の、良好な折衷策を可能にする。同様に、Ｕ字形状のチャネルは、特に、射出成形される内側通気性靴底要素61の場合に容易にかつ迅速に製造され得る、と言うのも、丸形のチャネル側壁によれば、型成形工程の後で、内側通気性靴底要素61と成形型との容易な分離が可能にされるからである。
【０１４９】
内側通気性靴底要素61のチャネルは、該内側通気性靴底要素61の上側から、囲繞靴底要素81の側部通路50への水蒸気の効率的な移行を可能にする任意の適切な断面を有し得ることが指摘される。同時に、内側通気性靴底要素61は、靴の靴底に対して安定的な構造を提供せねばならない。所望の特性を有するチャネルシステムを形成するために、チャネルが、それらの丈に沿って変化する断面を有し得ることも指摘される。
【０１５０】
図２ａの好適実施例は、内側通気性靴底要素61の幅に亙り均一な様態で分布された５本の長手方向チャネル184を具備する。長手方向チャネルは、内側通気性靴底要素61の幅に亙り、変化する幅を有し及び／又は不均一に分布されることも可能である。更に、これらのチャネルは、任意の適切なチャネル構造160が形成され得るように、靴301aの長手方向に対してある角度を成すことが可能である。
【０１５１】
横方向チャネル181は、長手方向チャネル184を、相互に接続し、且つ囲繞靴底要素81における側部通路50に接続する。その側端部において、横方向チャネルは、空気及び湿気放出ポート182を備えている。空気及び湿気放出ポート182は、横方向における最外側の長手方向チャネルから横方向に外側に配置される。特に、空気及び湿気放出ポート182は、内側通気性靴底要素61の側壁608に直接的に隣接して配置される。空気及び湿気放出ポート182は、横方向チャネル181の床部における凹所により形成される。換言すると、横方向チャネル181の床部は、該横方向チャネル181の残部の至る所におけるよりも、空気及び湿気放出ポート182の領域において、内側通気性靴底要素61内へ下方に更に深く延在する。空気及び湿気放出ポート182は、靴の内側部からの湿気／水蒸気の効率的な収集を可能にし、其処から、水蒸気は側部通路50を通して効率的に運び去られ得る。横方向チャネル181の全て、又はその部分集合のみが、空気及び湿気放出ポートを有しても良い。
【０１５２】
横方向チャネル181の全て、又はその部分集合のみが、側部通路50に対する接続を提供しても良い。また、側部通路50と空気連通せずに、盲端にて終端する横方向チャネル181も在り得る。内側通気性靴底要素61の複数の横方向チャネルであって、その内の一つが図２ａに示されている横方向チャネルは、該内側通気性靴底要素61のチャネルシステム160と、該通気性靴底要素の側壁702を貫通して延在する側部通路50との間の空気連通を可能にする。底部機能層積層体24が通気性なので、靴の内側から靴底7の横方向外側への水蒸気の搬送は通気性靴底要素構造により保証され、前記通気性靴底要素構造は空気を含む水蒸気がそれを通過することを可能にする。
【０１５３】
横方向チャネル181は、長手方向チャネル184と同一の、より小さい、又はより大きい高さを有し得ることが指摘される。それらは、それらが溝もしくは切り込みとしても見え得るように、内側の通気性靴底要素の頂部から該内側の通気性靴底要素の内部まで到達するチャネルとされても良い。横方向チャネルは、内側通気性靴底要素61の一部の下方に横たわることで該内側通気性靴底要素61の頂部から容易には視認可能でない、ということも可能である。同様に、長手方向チャネルは、示されたように溝であり得るか、又は内側通気性靴底要素61の上側表面から覆い隠されたチャネルであり得る。
【０１５４】
本実施例において、内側通気性靴底要素61のチャネルシステム160は、チャネル格子である。該チャネル格子のチャネルは、内側通気性靴底要素61の頂部から、その内部まで延在する。チャネルは長手方向チャネル184及び横方向チャネル181であり、それらは、それらの間の空気連通を可能にするべく交差している。チャネルはまた、内側の通気性靴底要素の頂部から見たときに、斜めチャネルであってもよい。通常は、斯かるチャネル格子は、長手方向チャネル、横方向チャネル、及び斜めチャネルの任意の組合せを有し得る。可能なチャネルシステムの更に詳細な記述は、図１１〜図１９に関して以下に与えられる。靴の残部の他の全ての構成において、特に、靴底7の残部に関する他の全ての上側アセンブリ構成及び他の全ての構成と組み合わせて、任意のチャネル構造が具現され得ることが指摘される。
【０１５５】
側部通路50は、通気性靴底要素の側壁702、すなわち、内側通気性靴底要素61の側壁608と、靴301aの囲繞靴底要素81とを貫通して延在することで、内側通気性靴底要素61のチャネル構造と靴301aの横方向外側との間の空気連通を可能にする。図２ａの好適実施例において、側部通路50は、水平である横方向通路として描かれる。但し、側部通路という用語は、斯かる制限的様態で理解されなくても良い。側部通路とは、通気性靴底要素の内側と、該通気性靴底要素の横方向外側、すなわち靴301の下側ではない、該通気性靴底要素の外側との間の空気連通を可能にする任意の通路であり得る。特に、側部通路50は、水平方向に関し、特に通気通路の内側端部より低い外側端部であるように傾斜され得る。この傾斜は、通気性靴底要素から水分がより容易に流出し得るという利点を有する。但し、水平な側部通路は、特に、通気性靴底要素の右側から該通気性靴底要素の左側への、又はその逆の連続的な通路が存在するならば、空気もしくは水蒸気の流れに対する好適な経路を提供するという利点を有する。側部通路50はまた、通気通路の内側端部よりも高位の外側端部であるように傾斜されても良い。これにより、底部機能層積層体24の繊細な膜21を損傷する一切の虞れなしで、例えば穿孔もしくはレーザー加工により側部通路の作成が可能にされる。更に、装着者の体温に起因して暖かい水蒸気は、斯かる傾斜された側部通路を通り、煙突状の様態で通気性靴底要素を効率的に抜け出し得る。通気性靴底要素の頂部から視認されたとき、側部通路50は、靴の長手方向、該靴の横方向、又はそれらの間の任意の方向であり得る。例えば、靴の前部もしくは後部において、通気チャネルはほぼ靴の長手方向に在り得る。側部通路50に対して記述された配向の選択肢は、記述される全ての実施例に対して適用され得る。
【０１５６】
靴301aの内側通気性靴底要素61は、円環状唇部101も具備する。該円環状唇部101は、内側通気性靴底要素61の上側側縁部に配置される。内側通気性靴底要素61は立体的構造であることから、円環状唇部101は、内側通気性靴底要素61の残部の周縁上縁部を囲繞する。換言すると、円環状唇部101は、内側通気性靴底要素61の上側側方部分の周縁部に配置される。従って、円環状という用語は、円の形状を指すと解釈されることは意図されない。代わりに、それは、内側空間を囲繞する構造を指し、又はループ構造を指すと理解される。但し、該用語は、閉じられた唇もしくはカラーの構造を要することも意図されない。唇部は、内側通気性靴底要素61の周縁部の回りで連続的であり得るが、該唇部は、内側通気性靴底要素61の周縁部の回りに分布された複数の離間された唇部区画から成るものでも良い。唇部はまた、内側通気性靴底要素61の、ちょうど上側側縁部に配置される必要もない。それはまた、側部表面602、又はその上側表面606に取付けられても良い。但し、内側の通気性靴底要素の上側周縁部の近傍における配置は、以下に論じられる如く、好適であり得る。
【０１５７】
円環状唇部101は、以下のように記述される機能の一つ以上を実施し得る。図２ａに示されたように、円環状唇部101は、接続部30の位置まで延在する。接続部30は、それが、上側部分10、底部部分20並びに内側通気性靴底要素61を接続するように、円環状唇部101を含む。特に、シュトローベル縫い目30は、上側機能層積層体17、上側材料11のネットバンド15、底部機能層積層体24、及び内側通気性靴底要素61の円環状唇部101を接続する。故に、円環状唇部101は、上側アセンブリ8に対する通気性靴底要素の取付け、特に、上側アセンブリ8に対する内側通気性靴底要素61の取付けを可能にする。この取付けは、囲繞靴底要素81を介しての上側アセンブリ8に対する内側通気性靴底要素61の取付けから独立している。靴301aの製造の間において、内側通気性靴底要素61は、円環状唇部101に沿う接続部30を通して、上側アセンブリ8に対して固定位置で取付けられ、このことは快適層40もまた固定位置に置く。これは靴301の更に正確な作製を可能にする、と言うのも、内側通気性靴底要素61の固定位置は、囲繞靴底要素81が内側通気性靴底要素61を所望の様態及び箇所で囲繞することを保証するからである。
【０１５８】
内側通気性靴底要素61及び円環状唇部101は、一つの部材片もしくは更に多くの部材片で作成され得る。換言すると、円環状唇部101は内側通気性靴底要素61の一体的部分であり得るか、又はそれは、内側通気性靴底要素61の残部に対して別の製造段階において取付けられた部材であり得る。特に、円環状唇部101を含む内側通気性靴底要素61は、例えば、射出成形などにより、一つの製造段階において作製され得る。この様にして、円環状唇部101と内側通気性靴底要素61の残部との間の強力な接続が保証され、このことは上側アセンブリ8に対する内側通気性靴底要素61全体の強力な取付けに帰着する。斯かる用途のための唇部101が、図１５にも示される。この唇部は、内側の通気性靴底要素から水平に2ミリメートルだけ延びており、延長部は典型的には1〜5ミリメートルの間にある。
【０１５９】
上側アセンブリ8上に円環状唇部101を接着剤結合することにより、又は円環状唇部101の領域における、特に円環状唇部101の領域のみにおける局所的な射出成形工程により円環状唇部101と上側アセンブリ8との間の取付けを行うことにより、円環状唇部101を具備する内側通気性靴底要素61は、該上側アセンブリに取付けられることも可能である。
【０１６０】
円環状唇部101は付加的／代替的に、内側通気性靴底要素61及び上側アセンブリ8上への囲繞靴底要素81の靴底材料の射出成形の間に、その靴底材料に対する障壁を提供する機能を有しても良い。円環状唇部は、囲繞靴底要素81の靴底材料が、快適層40に、及び／又は内側通気性靴底要素61の上側部に浸透しない様に配置され得る。円環状唇部101はまた、囲繞靴底要素81のいくらかの量の靴底材料が、底部機能層積層体24上へ、特に底部膜21上へ浸透するように設計されて配置されても良い。底部機能層積層体24と上側機能層積層体17との間のシールは、囲繞靴底要素材料により実施され得る。但し、円環状唇部は、内側の通気性靴底要素と底部機能層積層体との間の領域内へ過剰な靴底材料が浸透することを阻止し得る。この様にして、底部機能層積層体24の大きな面積の水蒸気の透過性が保証される。
【０１６１】
内側通気性靴底要素61は、囲繞靴底要素81の射出成形の間に円環状唇部101がこの機能を履行し得るように、適切な圧力／固定により成形型内に載置され得る。特に、内側通気性靴底要素61に対してはピストンが圧力を及ぼしても良く、それにより該要素は上側アセンブリ8に押し付けられる。円環状唇部は上側アセンブリ8に押し付けられ、その過程において、その後の射出成形段階のための緊密な障壁が形成されるように、突出する唇部の変形が生じ得る。この様にして円環状唇部101は、囲繞靴底要素81の靴底材料に対する底部機能層積層体24の下側表面の大部分の接触の阻止に役立つことから、通気性を備えた大きな面積が維持される。円環状唇部101はまた、射出成形に対する障壁が所望箇所に確立されるように、内側通気性靴底要素61の上側表面606上の任意の位置に配置されても良い。同様に、円環状唇部101は内側通気性靴底要素61の側部表面602に取付けられても良く、障壁効果は、例えばシュトローベル縫い目30により円環状唇部101の遠端を上側アセンブリ8に取付けることで達成される。
【０１６２】
円環状唇部101は、通気性靴底要素もしくは内側の通気性靴底要素の外側に向かう横方向と、通気性靴底要素から上方に向かう垂直方向との間の任意の方向で通気性靴底要素から延びてよい。
【０１６３】
円環状唇部101は、図２ａ及び図１５の実施例に対してのみ示されるが、本発明の他の実施例の通気性靴底要素もまた、唇もしくはカラーの構造、特に、上述された円環状唇部又は複数の唇部区画を具備し得ることが明示的に指摘される。
【０１６４】
囲繞靴底要素81の上側部分は、内側通気性靴底要素61の円環状唇部101の上方、すなわち、底部機能層積層体24の一部分の下方と、円環状唇部101の下方であって上側アセンブリ8の上側部分10の一部分の下方と、上側アセンブリ8の上側部分10一部分であって、ほぼ垂直方向に配置された一部分の近傍と、に配置される。換言すると、囲繞靴底要素81は、靴の内側部が装着者の足に合致すべく型に基づいて作られる箇所にて、上側アセンブリ8の角隅部を包む。更に換言すると、囲繞靴底要素81は、上側アセンブリ8の下側部の一部分、並びに上側アセンブリ8の下側横方向面の各部分を覆う。囲繞靴底要素81の靴底材料は、ネットバンド15に浸透し、シュトローベル縫い目30に浸透し、メッシュ12に浸透し、上側材料11上に至り、上側膜13上に至り、円環状唇部101の少なくとも一部分を回り、底部膜21上に至る。この浸透された靴底材料は、一方ではシュトローベル縫い目30を防水様態でシールし、且つ他方では通気性靴底要素を上側アセンブリ8に取付ける。前記シールは、上側機能層積層体17と、靴の内部を囲繞する下側機能層積層体24であって、上側機能層積層体と相互に防水様態でシールされる下側機能層積層体24とから成る完全に防水性の上側アセンブリ8を提供する。シールされた上側機能層積層体17及び底部機能層積層体24は、防水性且つ通気性の機能層配列体を形成する。上側アセンブリ8は防水性であり、靴底アセンブリが非防水性であることを可能にする。囲繞靴底材料はまた、接続部30に浸透し、底部機能層積層体24及び上側機能層積層体17の夫々の上側部に至るが、このことは、図２ａにおいて、シュトローベル縫い目30の上側部を覆う円形区画であって、底部機能層積層体24及び上側機能層積層体17上に延在する円形区画により例示される。特に、囲繞靴底材料は、前記の２つの積層体の間のスペース内へ上方へ侵入する。囲繞靴底材料はまた、円環状唇部101と底部機能層積層体24との中間に幾分か浸透する。この様にして、シュトローベル縫い目30の全体領域は、シュトローベル縫製工程により上側膜13及び底部膜21に形成された全ての孔が囲繞靴底材料により確実にシールされるように、囲繞靴底材料により浸透される。但し、浸透する囲繞靴底材料は、装着者に対する快適さ、並びに上側アセンブリ8の通気性を本質的に妨げない少ない体積に維持される。
【０１６５】
内側通気性靴底要素61の上方に、靴301aには快適層40が配備される。快適層40は、内側通気性靴底要素61の頂部上に配置される。快適層40は、靴の更なる製造の前に其処に無拘束的に配置されるか又は取付けられる。斯かる取付けは、靴の内側部から内側通気性靴底要素61への水蒸気の流れが妨げられない様に、スポット接着剤結合又は円周接着剤結合により、又は通気性の接着剤を利用する接着剤結合により達成され得る。同様に、内側通気性靴底要素61の全面が接着剤結合され得ると共に、接着剤がチャネルに進入することを阻止するために、高揺変性接着剤が使用されるべきである。快適層40は、装着者に対する柔軟な歩行感覚を高めるために、特に、内側通気性靴底要素61のチャネルシステム160により装着者が違和感を感じないことを保証するために、挿入される。靴301aの好適実施例において、快適層40は、内側通気性靴底要素61のチャネルシステム160よりも大きな側方延在範囲を有すると共に、円環状唇部101の領域の幾分か上方に延在する。但し、快適層は、円環状唇部101が上側アセンブリ8に取付けられる、円環状唇部の側縁部までは延在しない。通常は、快適層は、内側の通気性靴底要素と、同一の又はより小さい又はより大きい横方向寸法を有し得る。
【０１６６】
快適層40は、内側通気性靴底要素61の頂部上に直接的に配備される。但し、それはまた、内側通気性靴底要素61から幾分か離間されてもよい。斯かる間隔は、内側通気性靴底要素61に対して快適層40を取付ける接着層の使用の結果であり、前記接着層は寸法設定可能な垂直延在範囲を有する。快適層は、通気性靴底要素の頂部上に直接的に配備されない場合でも、論述された好適な特性を依然として提供し得る。
【０１６７】
通気性靴底要素は、数回の段階工程で作製されて上側アセンブリ8に対して取付けられる。第1の段階として、例えば、相応に形状化された成形型内へポリウレタン(PU)を射出成形することにより、内側通気性靴底要素61が作製される。ポリウレタンは、歩行の間のような使用の間において装着者の体重の少なくとも一部分を支持する大きな安定性を有する内側通気性靴底要素61であって、歩行の間における装着者の快適さを増進するために一定の可撓性を有する内側の通気性靴底要素を形成するために使用され得る複数種の適切な材料の内の一つである。靴の好適な用途に応じて、適切な材料が選択され得る。ポリウレタンに加え、斯かる材料の例は、EVA(エチレン酢酸ビニル)などである。
【０１６８】
次の段階として、快適層40は、内側通気性靴底要素61の頂部上に配置されると共に、それに対して接着剤を用いて取付けられる。内側通気性靴底要素61及び快適層40は次に、成形型内で上側アセンブリ8に関して所望位置に配置され、そこで囲繞靴底要素材料は、上側アセンブリ8及び内側通気性靴底要素61上へ射出成形される。この様にして、囲繞靴底要素81は、該囲繞靴底要素81の靴底材料によりこれらの要素の持続的で一体的な結合が達成されるように、上側アセンブリ8に対し且つ内側靴底通気要素61に対して接着される。囲繞靴底要素に適切な材料は、ポリウレタン、EVA、PVC又はゴムなどである。
【０１６９】
図２ａの実施例において、ネットバンド15は、上側部分10の角隅部の回り、すなわち上側機能層積層体17と上側材料11の該ネットバンド15とがほぼ水平な配向からほぼ垂直な配向へ屈曲される上側部分10の部分の回りを包み込む。ほぼ垂直な配向を有する部分は、装着者の足に対する側壁を形成する。従って、囲繞靴底要素81の靴底材料は、下側から、且つ上側アセンブリ8の側面から、ネットバンド15に浸透して上側膜上に至り得る。この様にして、囲繞靴底要素81と上側機能層積層体17との間の強力な多方向性の取付けが達成されると共に、積層体17、24間の良好なシールが提供される。
【０１７０】
図２ａの好適実施例において、囲繞靴底要素81は内側通気性靴底要素61よりも更に下方に到達し、このことは平面上での囲繞靴底要素81のみによる装着者の体重の支持に繋がる。このことは望ましい、と言うのも、靴底の一部分のみが装着者の連続的な負荷支持のために設計される必要があるのに対して、内側通気性靴底要素61に使用される材料は、チャネルシステム160を作製するための製造特性に基づいて、及び／又は通気性靴底要素61の重量、故に、該通気性靴底要素61が配置される靴301aの靴底7の中央部分の重量の最小化に基づいて、選択され得るからである。
【０１７１】
図２ａの好適実施例に依れば、靴301aの靴底7は外底を有するようには示されないが、該実施例に対し、並びに記述される他の全ての実施例に対し、斯かる付加的な靴底要素が配備され得ることが指摘される。同様に、内側通気性靴底要素61及び囲繞靴底要素81の夫々の下側部は、靴の使用の間において地面上の靴底アセンブリ7の把持を向上させるトレッド構造を備えていない。但し、記述される全ての実施例において、靴底の下側部にはトレッド要素が配備され得ることが指摘される。例示的なトレッド構造／要素が以下に記述される。
【０１７２】
図２ｂは、別実施例に係る靴301bを貫通する断面を示している。靴301bの多くの要素は、図２ａに示された靴301aの対応要素と同一である。同一の又は類似する要素は、同一の参照番号で表されると共に、その説明は簡潔さのために省略される。
【０１７３】
靴301bの内側通気性靴底要素61のチャネル構造160は、断面が矩形状である複数の長手方向チャネル184を有するように示される。長手方向チャネル184は、複数本の横方向チャネル181により、相互に、且つ側部通路50に接続され、該横方向チャネルの内の１本が、図２ｂの断面平面内に配置されて示される。横方向チャネル181の側端部の各々は長手方向チャネル184と一致し、且つ横方向チャネル181内には何らの空気及び湿気の放出ポートも配備されない。これらの側端部の配置は、側部通路50及び横方向チャネル181が、それらを通る空気流を可能にするように、内側通気性靴底要素61の側壁608と囲繞靴底要素81とを貫通延在する側部通路50の配置に対して合わされる。内側通気性靴底要素61の側壁608を通る側部通路50の断面積であって、横方向チャネル181の側端部における該チャネル断面積と比較して小さい側部通路50の断面積は、次の利点、即ち、強力な取付けが達成可能であるように、内側通気性靴底要素61の側部表面602と囲繞靴底要素81の内側側部表面802との間の大きな接続面積が得られる、という利点を有する。
【０１７４】
靴301bのチャネル構造160の長手方向チャネル184は、内側通気性靴底要素61内へ、横方向チャネル181よりも深く延在する。異なる高さを有するチャネルの配備は、チャネル体積と内側通気靴底材料との間の所望の折衷策、すなわち、空気流体積及び靴底安定性との間の所望の折衷策を達成する一つの手段である。従って、異なる高さのチャネルは、記述された他の実施例においても使用され得る。
【０１７５】
チャネル構造160における差異に加え、図２ａの実施例と図２ｂの実施例との間における多くの更なる差異が存在する。
【０１７６】
靴301bの内側通気性靴底要素61は、円環状唇部を備えない。囲繞靴底要素81は、上側機能層積層体17の一部分の下方、並びに底部機能層積層体24の一部分の下方に配置される。この様にして、囲繞靴底要素81は、これらの積層体の相互に対する強力な取付け及びシールを可能にする。更に、装着者が足の下側部の大部分に亙り自身の快適な感覚を享受するように、快適層40は内側通気性靴底要素61の全幅に亙り延在する。
【０１７７】
図２ｂの好適実施例において、内側通気性靴底要素61及び囲繞靴底要素81は、トレッド要素を備え、特に、靴301bの歩行特性を向上させるために、突出部分及び後退部分のパターンを備える。
【０１７８】
図２ｂの実施例において、並びに記述される他の実施例において、上側材料11、メッシュ12、上側膜13及び布ライニング14は、４層積層体として形成され得ることが指摘される。
【０１７９】
図２ｃは、別実施例に係る靴301cの断面を示している。靴301cの多くの要素は、図２ｂに示された靴301b及び図２ａに示された靴301aの対応要素と同一であり、その説明は簡潔さのために省略される。但し、靴301cの内側通気性靴底要素61は、靴301bの内側通気性靴底要素61と異なる。靴301cの内側通気性靴底要素61は、該内側通気性靴底要素61の上側表面606から、該内側通気性靴底要素61の下側表面604まで延在する長手方向チャネル184及び横方向チャネル181を具備する。換言すると、内側通気性靴底要素61内のチャネルは、該内側通気性靴底要素61の全高に沿って延在する。この様にして、側部通路50を通り靴301cの側面に対して連通されることに加え、水蒸気は、底部機能層積層体24の下側面から、チャネルを通して靴301cの下側面まで、連通される。従って、水蒸気は、靴の内側部から、全方向へ放出され得る。
【０１８０】
図２ｃの断面図は、靴301cの内側通気性靴底要素61のチャネルシステム160の１本の横方向チャネル181を通して切断している。靴301cの内側から内側通気性靴底要素61に進入する水蒸気は、チャネル構造160の長手方向チャネル184及び横方向チャネル181を介して該靴の下側面にて、且つ部分的に側部通路50を通して、抜け出し、その場合に横方向チャネル181は、内側通気性靴底要素61のチャネルシステム160と、側部通路50との間の空気連通を可能にする。横方向チャネル181は、通気性靴底要素の側壁702が囲繞靴底要素81のみにより形成されるように、内側通気性靴底要素61の全幅に亙り延在する。底部から視認されたとき、靴301cの内側通気性靴底要素61は、長手方向チャネル及び横方向チャネルにより分離された複数個の個別的な内側の通気性靴底要素ブロックで構成される。
【０１８１】
やはり、横方向チャネル181及び／又は長手方向チャネル184は、内側通気性靴底要素61の高さの任意の部分に亙り、特に、示されたように全高に亙り、又は内側通気性靴底要素61の頂部からその内側まで延在する高さの部分に亙り、延在し得る。同様に、内側通気性靴底要素61におけるチャネルは、靴の頂部もしくは底部から見たときに、該靴301cの長手方向と、該靴310cの横方向との間の任意の方向を有し得る。換言すると、チャネルは、靴の靴底を貫通する水平な断面にて見たときに、内側通気性靴底要素61において任意の方向に配向され得る。
【０１８２】
内側の通気性靴底要素の個々の構成要素は、別の複数の射出成形段階において上側アセンブリ8上へ射出成形され得ることが指摘される。
【０１８３】
靴301cの快適層40は、内側通気性靴底要素61の側方延在範囲全体、及び囲繞靴底要素81の隣接部分に亙り延在する。この様にして、内側通気性靴底要素61の側縁部における唇部もしくは襟状部のような特定の設計態様に起因して、又は製造プロセスの不完全さに起因して存在し得る内側通気性靴底要素61と囲繞靴底要素81との間の一切の不連続性は、これらの不連続性が装着者の快適さに対して、又は底部膜21に対して不都合でない様に、快適層40により覆われ得る。快適層40はまた、示された他の実施例においても内側通気性靴底要素61を越えて延在し得ることが指摘される。
【０１８４】
図２ｄは、本発明に係る靴301dの別実施例を貫通する断面を示している。やはり、靴301dの全ての要素は、内側通気性靴底要素61を除き、図２ａに示された靴301aの対応要素と同一である。靴301dの内側通気性靴底要素61は、該内側通気性靴底要素61の全高を貫通延在するチャネル184を具備する。チャネルは斜めであり、これは内側通気性靴底要素61の上側表面606におけるチャネルの開放端部が、該内側通気性靴底要素61の下側表面604におけるチャネルの開放端部からオフセットされることを意味している。このことは、これらの斜めチャネルに進入し得る、例えば地面上に存在する画鋲もしくは釘などの鋭利な物体が、普通はチャネルを上方へ通過はせず、内側通気性靴底要素61の材料内に留まることから、チャネルの上方に位置する機能層を破損することはない、という利点を有する。図２ｄの実施例において、斜めチャネル184は長手方向チャネルであり、上側表面606におけるそれらの開放端部は、内側通気性靴底要素61の下側表面604におけるそれらの開放端部から横方向にオフセットされる。斜めの長手方向チャネルは、靴301dの横方向における水平チャネル181により、すなわち横方向チャネル181により接続される。横方向チャネル181は、各斜めチャネル184と側部通路50との間の流体連通を可能にする。やはり、横方向チャネル181は、任意の垂直延在範囲を有し得る。それらは、内側通気性靴底要素61の全高、並びにその一部分のみに延在し得る。示されたように、それらは、内側通気性靴底要素61の頂部から見たときに該内側通気性靴底要素61の靴底材料により覆われ得るが、それらはまた、内側通気性靴底要素61の頂部からその内部まで延在しても良い。横方向チャネルが斜めチャネルであり、また長手方向チャネルが例えば図２ｂに示されたように垂直配向を有することも可能である。同様に、長手方向チャネル及び横方向チャネルの両方が斜めにされて交差し、特定の流体連通チャネル構造を形成しても良い。やはり図２ｄの実施例において、水蒸気は、靴の内側部から上側アセンブリ8の下側面まで、且つ其処から、空気と共に、チャネル及び通路を通して靴底の外部に連通されることで、全方向において足からの水蒸気放出を可能にする。
【０１８５】
やはり、快適層40は、内側通気性靴底要素61の頂部上に直接的に配備されて示される。
【０１８６】
図３ａは、別実施例に係る靴302aを貫通する断面を示している。靴302aの多くの構成要素は、図２ｂに描かれた靴301bの対応要素と類似しており又は同一である。故に、その説明は簡潔さのために省略される。但し、靴302aの通気性靴底要素は、靴301bの対応要素と異なる内側通気性靴底要素62及び囲繞靴底要素82を具備する。内側通気性靴底要素62は、上側表面606から下側表面604に掛けて、変化する側方延在範囲を有する。上側表面606上において、及び内側通気性靴底要素62の上側のほぼ２／３に対し、側方延在範囲は、一定であり、且つ靴301bの内側通気性靴底要素61の延在範囲に対応する。内側通気性靴底要素62の下側部分の至る所で、内側通気性靴底要素62は靴底アセンブリ7の側方延在範囲全体に亙り延在する。内側通気性靴底要素62は、靴底アセンブリ7と地面との間における接触領域全体を構成する。内側通気性靴底要素62は、靴がその靴底上に配置されたときに囲繞靴底要素82が地面に接触しない様に、囲繞靴底要素82の下方に延在する。囲繞靴底要素82は、内側通気性靴底要素62と上側アセンブリ8との間の側部ポケットを充填する。それはまた、上側アセンブリ8の側壁の下側部分も覆い、すなわち、それは、ほぼ垂直方向に配置された上側アセンブリ8の上側部分10の一部分に隣接する。内側通気性靴底要素62は描かれた断面平面において５本の長手方向チャネル184を具備し、長手方向チャネル184は、内側通気性靴底要素62の上側表面606から該内側通気性靴底要素のほぼ１／３まで内部に延在する。靴302aの長手方向チャネル184は、横方向チャネル181により、相互に、且つ側部通路50に接続され、図３ａの断面は、横方向チャネル181の内の一本の横方向チャネルを通して切断している。横方向チャネル181は、長手方向チャネル184と同一の高さ延在範囲を有すると共に、やはり内側通気性靴底要素62の上側表面606から該靴底要素内へ延在する。長手方向チャネル184及び横方向チャネル181は、内側通気性靴底要素62の上側表面606から該靴底要素内へ延在する溝と見做され得る。やはり、他の図に関して記述されたように、内側通気性靴底要素62の頂部と側部通路50との間の流体連通を行うために、他の多くのチャネル構造も可能である。
【０１８７】
靴302aの設計態様は、囲繞靴底要素82のために少量の靴底材料しか必要とされないことを可能にする。靴底アセンブリ7の体積の殆どを占有する内側通気性靴底要素62は、別体的に作製され得ると共に、囲繞靴底要素82は、良好に制御された迅速な射出成形段階において作製され得る。この段階は、靴製造を完成させる最後の段階であり得る。
【０１８８】
図３ｂは、別実施例に係る靴302bを貫通する断面を示している。靴302bは、靴底アセンブリ7を除き、図３ａの靴302aと同一である。靴302bの通気性靴底要素は、内側通気性靴底要素62及び囲繞靴底要素82を具備する。内側通気性靴底要素62及び囲繞靴底要素82の下方には、外底92が配備される。靴301bの囲繞靴底要素82は、図３ａに示された靴302aの囲繞靴底要素82と同一である。靴302bの内側通気性靴底要素62は、囲繞靴底要素82の内側側部表面802間に延在する。外底92は、靴302bの靴底アセンブリ7の全幅に亙り延在する。それは、内側通気性靴底要素62及び囲繞靴底要素82の両方の下側面を覆う。外底92は、平坦な表面上での靴302bの通常使用の間において地面と接触する該靴302bの唯一の要素である。この設計態様は、内側通気性靴底要素62及び囲繞靴底要素82に対する一切の要件から独立して、外底92に対する特に適切な材料が選択され得るという利点を有する。例えば、熱可塑性ポリウレタン(TPU)又はゴムもしくは革が使用され得る。同様に内側通気性靴底要素62及び囲繞靴底要素82の材料は、使用の間における地面に対する靴底の連続的な接触による摩耗及び裂開を何ら懸念することを必要とせずに、純粋に、装着者の快適さ、靴底の安定性、靴302bの製造の間における結合特性のような要因に基づいて選択され得る。
【０１８９】
内側通気性靴底要素62のチャネル構造160は、図３ｂの断面平面内に４本の長手方向チャネル184を有する。該チャネル構造はまた複数本の横方向チャネル181を具備し、その内の１本が図３ｂの断面平面内に示される。横方向で最外側の長手方向チャネル184は、横方向チャネル181の側端部には配置されていない。横方向チャネル181の側端部には、空気及び湿気放出ポート182が配備される。該空気及び湿気放出ポートは、横方向チャネル181の床部に凹所を具備し、該床部は、図３ｂの好適実施例においては傾斜形状を有する。横方向チャネル181の側端部は、内側通気性靴底要素62の側壁608と囲繞靴底要素82とを貫通延在する側部通路50と空気連通する。チャネル構造160は、上述されたのとは異なる種々の様態で改変され得ることは明らかである。
【０１９０】
図３ｃは、別実施例に係る靴302cを貫通する断面を示している。靴302cの多くの要素は、図３ａ及び図３ｂに示された靴302a及び302bの対応要素と同一であり、それらの説明は簡潔さのために省略される。
【０１９１】
靴302cの上側アセンブリ8の底部部分20の底部機能層積層体24は、３層積層体であり、これは、底部から頂部にかけて、メッシュ23、底部防水性／通気性膜21、及び支持布22を具備する。メッシュ23は、底部機能層積層体24に対して増進された安定性を与え得る。他の実施例の底部機能層積層体24もまた、靴302cに含まれたように、３層積層体であり得ることが指摘される。
【０１９２】
図３ｄは、別実施例に係る靴302dを通る断面を示している。靴302dの多くの要素は図３ｂに示された靴302bの対応要素と同一であり、その説明は簡潔さのために省略される。靴302dの内側通気性靴底要素62は、囲繞靴底要素82の垂直延在範囲の上部において、囲繞靴底要素82の間に延在する。内側通気性靴底要素62の高さ延在範囲は、上側アセンブリ8の下方における囲繞靴底要素82の高さ延在範囲のほぼ半分である。内側通気性靴底要素62のチャネルシステム160は、図３ａに示された靴302aの内側通気性靴底要素62のチャネルシステム160と類似している。内側通気性靴底要素62の下方には、靴中底122とも称される靴底快適層122が配備される。靴底快適層122は、横方向寸法において、内側通気性靴底要素62と共通の広がりを有している。靴底快適層122は、図３ｄに示された実施例においては空気連通チャネルを備えていないが、他の実施例においては空気連通チャネルを具備し得る。靴底アセンブリ7の側方延在範囲の大部分に亙る三層設計態様、すなわち、相互に重ねられた内側通気性靴底要素62、靴底快適層122及び外底92の配置は、特定の課題に高度に適した複数の材料を選択することを可能にする。特に、外底92のための材料は、その把持及び摩耗特性に基づいて選択され、靴底快適層122のための材料はその快適さ及び緩衝機能に基づいて選択され、且つ内側通気性靴底要素62のための材料は、その中にチャネル構造を有する一方で安定性を提供するその能力に基づいて選択され得る。これらの要素は、接着、射出成形、又は他の適切な技術により互いに取付けられ得る。
【０１９３】
図３ｅは、別実施例に係る靴302eを貫通する断面を示している。靴302eの多くの要素は、図３ｄに示された靴302dの対応要素と同一であり、その説明は簡潔さのために省略される。
【０１９４】
靴302dと対照的に、靴302eは、快適層、及びチャネルを形成された内側通気性靴底要素を備えていない。但し、靴302eの実施例においても、上で論じられたような快適層が存在し得ることが指摘される。快適層は、記述された他の実施例において省略され得ることも指摘される。
【０１９５】
靴302eの通気性靴底要素は、容器要素113を具備する。該容器要素113は、空気流が通ることを可能にする構造もしくは材料112により満たされる。構造もしくは材料112は、底部部分113a及び側壁113bにより限定される容器要素113の全体積を通して延在する。構造もしくは材料112は、底部機能層積層体24の下側面と、側部通路50との間の空気連通を可能にする。側部通路50は、容器要素113の側壁113b、及び囲繞靴底要素82を貫通延在する。従って、容器要素113の側壁113b及び囲繞靴底要素82は、通気性靴底要素の側壁702を形成する。容器要素113の側壁113bの材料は、例えば、孔質材料などの、空気流が自身を通ることを可能にする材料で作成されることも可能である。
【０１９６】
容器要素113は、その上側側縁部に円環状唇部113cを具備する。円環状唇部113cは、囲繞靴底要素82が射出成形される前に、構造もしくは材料112を含む少なくとも容器要素113が、上側アセンブリ8に関して固定されるように、シュトローベル縫い目30を介して上側アセンブリ8に取付けられる。容器要素113、靴中底122とも称される靴底快適層122、及び外底92は、この複合靴底構造がシュトローベル縫い目30を介して上側アセンブリ8に取付けられる前に、互いに取付けられることも可能である。
【０１９７】
容器要素113は、靴302eの内側通気性靴底要素を形成する。上側アセンブリ8の底部機能層積層体24の下方に前記靴底要素を配置することにより、靴の内側と、容器要素113と、該容器要素113の側壁及び囲繞靴底要素82に配備された側部通路50との間の空気連通が確立される。
【０１９８】
構造もしくは材料112は、空気連通を可能にするのに適した任意の構造もしくは材料であて、靴の使用の間において装着者の体重の所望部分を支持するのに適した任意の構造又は材料であり得る。構造もしくは材料112は、充填物要素間における空隙を通して空気流が生じ得るように、容器要素113内に配置された多数の充填物要素から構成され得る。斯かる構造もしくは材料に対する例は、開放セル構造を備える合成織地、又は以下に記述されるような他の適切な材料である。
【０１９９】
空気流が自身を通ることを可能にする構造もしくは材料112は、本来的に空気流を可能にする特性を有する、スペーサ、又は他の孔質構造もしくは材料のように、連続的に立体的に形成され得る。
【０２００】
他の実施例の内側通気性靴底要素もまた、空気流が通ることを可能にする構造もしくは材料112、及び必要であれば、容器要素113により置き換えられ得ることが指摘される。通気性靴底要素全体が、上側アセンブリ8の下側面から当該材料の側部通路を通して水蒸気放出を可能にする孔質材料のような空気流許容材料で作成されることも可能である。
【０２０１】
図３ｆは、別実施例に係る靴底202bを貫通する断面を示している。靴底202bは、僅かに異なるチャネル構造160を除き、図３ｃに示された靴302cの靴底に実質的に対応する。従って、簡潔さのために詳細な説明は省略される。靴底202bは、別体的要素として製造され得ると共に、靴302cの上側アセンブリ8に対し、又は本明細書中に記述される他の任意の上側アセンブリに取付けられ得る。取付けは、接着、射出成形、又は他の任意で適切な取付け技術により達成され得る。
【０２０２】
図４ａは、別実施例に係る靴303aを貫通する断面を示している。上側部分10と、下側部分20と、その接続部30とを具備する上側アセンブリ8、及び靴底アセンブリ7の快適層40は、図３ｄに示された靴302dの上側アセンブリ8及び快適層40と同一である。同様に、その外側寸法に関し、靴303aの内側通気性靴底要素63は、靴302dの内側通気性靴底要素62と同一である。チャネル構造160に関し、靴303aの内側通気性靴底要素63は、靴302aの内側通気性靴底要素62と殆ど類似している。但し、内側通気性靴底要素63のチャネル構造は広さが少なく、且つ内側通気性靴底要素63の側壁608は、大きな側方延在範囲を有する。これらの要素の詳細な説明は、簡潔さのために省略される。靴303aの通気性靴底要素は、内側通気性靴底要素63及び囲繞靴底要素83を具備する。此処でも側部通路50が配備され、該通路は、靴303aの内側通気性靴底要素63のチャネル構造と靴底アセンブリ7の横方向外側との間の空気連通を行うために通気性靴底要素の側壁702を貫通して延在する。
【０２０３】
靴303aの好適実施例において、囲繞靴底要素83は、通気性靴底要素63を横方向に囲繞するだけでなく、その下方を通過するかもしくはその下方に配置される。囲繞靴底要素83は、複数の支持部材133を具備する。各支持部材133は、囲繞靴底要素83を貫通して垂直に延在する。それらは、内側通気性靴底要素63の下方に配置される。本実施例において、囲繞靴底要素83は、内側通気性靴底要素63の下方に等しく離間された支持部材133を具備する。靴303aの長手方向におけるそれらの延在範囲に応じて、各支持部材133はリブもしくは支柱であり得る。換言すると、各支持部材133は、図４ａに示されたように、それらの横方向延在範囲と実質的に等しい長手方向延在範囲を有し得るか、又はそれらの横方向延在範囲より相当大きい長手方向延在範囲を有し得る。別実施例において、各支持部材は横方向リブとして形成され得る。
【０２０４】
支持部材133は、以下のように製造され得る。支持部材133は、内側通気性靴底要素63と同一の材料で作成され得る。この場合、内側通気性靴底要素63及び支持部材133は、一つの射出成形段階で一体的に射出成形され得る。従って、そのときに囲繞靴底要素83は、その後の射出成形段階において、内側通気性靴底要素63と、上側アセンブリ8及び支持部材133の各部分との回りに射出成形され得る。支持部材133は、別体的に製造されることも可能である。この場合、それらは、囲繞靴底要素83が射出成形される前に、内側通気性靴底要素63に取付けられるか、又は成形型内で内側通気性靴底要素63に対して固定位置に維持される。
【０２０５】
支持部材133は、靴底の、特に、靴303aの通気性靴底要素の安定性に寄与する。それらを内側通気性靴底要素63の下方に配置すると、該内側通気性靴底要素63のチャネル化構造から生じ得る安定性の不都合が相殺され得る。更に、支持部材133は、囲繞靴底要素83のための材料に関する選択の制限を少なくし得る、と言うのも、靴底の安定性の懸念が低下するからである。支持部材133はまた、内側通気性靴底要素63を高位に維持することで、射出成形の間に囲繞靴底要素材料83が内側通気性靴底要素63の下方を流れることを可能にする。
【０２０６】
図４ｂは、別実施例に係る靴303bを貫通する断面を示している。靴303bの多くの要素は、図４ａに示された靴303aの対応要素と同一であることから、それらの記述は簡潔さのために省略される。靴303bの内側通気性靴底要素63は、靴303aの内側通気性靴底要素63において与えられたチャネルを具備する。同様に、内側通気性靴底要素63の側壁608を貫通し且つ囲繞靴底要素83を貫通して延在する側部通路50は、靴303bの側部通路50と同一である。さらに、内側通気性靴底要素63のチャネル構造から、該内側通気性靴底要素63を貫通してその下側表面604に至り、更に、囲繞靴底要素83を貫通する垂直通路52が配備される。垂直チャネル52は、内側通気性靴底要素63のチャネル構造と、靴底アセンブリ7の下側との間の空気流を可能にする。この様にして、靴303bには垂直な水蒸気及び空気放出チャネルが配備されることから、より大きな通気性が達成される。囲繞靴底要素83の支持部材133は、囲繞靴底要素83内で垂直チャネル52の回りに配置される。換言すると、靴303aの囲繞靴底要素83の支持部材133は中空構造であり、それを貫通して垂直チャネル52が延在する。囲繞靴底要素83は、中空の支持部材133を備えなくてもよいが、依然として垂直チャネルを有し得ることが指摘される。概括的な表現では、内側通気性靴底要素63の下方の囲繞靴底要素83の部分において、それを貫通して垂直チャネルが延在し得る。斯かる垂直チャネルは、成形型の底部ピストンに垂直ピンを固定することにより作成され得る。
【０２０７】
靴303bは、囲繞靴底要素83の側部通路50の少なくとも一部分内に配置されたインサート51をさらに具備する。インサート51はピン形状とされている。それらは、ピン頭部延長部が側部通路50の直径より大きいピン頭部を具備する。インサート51は、内側通気性靴底要素63から側部通路50を通る空気及び水蒸気の放出が、該インサート51の内側を通して行われるように、中空構造を有する。側部通路50の直径は、インサートを収容すべく、且つそれを通しての適切な空気流を確実とすべく拡大される。
【０２０８】
インサート51がなければ、側部通路50の壁部は、製造プロセスに起因して粗面もしくは不均一となり、それを通る空気流における乱流を引き起こすと共に、空気及び水蒸気の放出機能が低減され得る。中空インサート51により、側部通路50を通る空気流は、平滑な表面に沿って流れると共に、内側通気性靴底要素63から靴303bの靴底の外側へ空気及び水蒸気を搬送する上で高度に効率的であることが保証される。インサート51により、囲繞靴底要素83に対する射出成形プロセスのような製造プロセスを最適化するよりも安価な手法で、側部通路を通る円滑な空気及び水蒸気の流れが達成され得る。
【０２０９】
インサート51は、取り外し可能なインサートであってよく、これは異なる使用状況を考慮して装着者が望むとおりに該インサートを挿入することを可能にする。取外し可能であるなら、インサート51は、装着者により靴の外観を調節可能とする手段でもある。
【０２１０】
インサート51はまた、中実、すなわち非中空、且つ取外し可能であってもよい。この場合、装着者は、大雨の間、又は水溜まりもしくは泥濘(ぬかるみ)を通る徒歩の間などの、極めて不都合な使用環境において、インサート51を挿入し得る。この様にして、靴底内への水、泥などの進入が完全に阻止され得ることから、側部通路50及び内側通気性靴底要素63は、後時の使用に対し、目詰りすることはなく、あるいは、他の何らかの様態で空気流に対して透過不能となることはない。同様に、これらの中実インサートは、側部通路50及び内側通気性靴底要素63を低温の空気が流れて装着者に対する不快さを引き起こさない様に、低温条件で使用され得る。材料を節約し且つ重量を低減すべく、ピンの頭部のみを中実とし、側部通路により受容されるピンの部分は中空とすることも可能である。低温空気の不快さに対する別の手段は、隔離用の快適層40、又は隔離用の底部機能層積層体24を配備することである。
【０２１１】
インサート51は、金属、又はプラスチック、又は他の任意で適切な材料で作成され得る。
【０２１２】
インサート51の配備及び中空支持部材133の配備は独立的であることが指摘される。それらは両方とも靴303bの水蒸気特性を増進し得るが、一方の特徴部は、他方なしでも配備され得る。同様に、両方の特徴部は、論述された他の各実施例において、別体的に又は組み合わせて配備され得る。
【０２１３】
図５は、別実施例に係る靴304を貫通する断面を示している。靴304の多くの要素、特に、上側アセンブリ8全体は、図４ａに示された靴303aと同一である。同様に、靴304の内側通気性靴底要素64は、靴303aの内側通気性靴底要素63と類似している。靴304の囲繞靴底要素84は、靴303aの囲繞靴底要素83と比較して改変される。靴304の囲繞靴底要素84は、該靴304の底部までは、すなわち、通常使用の間において地面に接する靴304の表面領域までは延在しない。靴304の囲繞靴底要素84の垂直延在範囲は、靴303aの囲繞靴底要素83の垂直延在範囲よりも小さい。
【０２１４】
靴304の囲繞靴底要素84の下方には、外底94が配置される。該外底は、囲繞靴底要素84の側方延在範囲全体に亙り延在する。図５の断面図において、外底94は、囲繞靴底要素84の全幅に亙り延在する。外底94は、種々の表面上で装着者の粘着摩擦を高めるために、トレッドを備える。外底94は、支持部材を備えていない。囲繞靴底要素84内には、支持部材134が存在する。靴304に対して別体的な外底94を配備すると、図３ｂに関して論じられたように、靴302bに対して外底92を配備したのと同一の利点が得られる。
【０２１５】
図６ａは、別実施例に係る靴305aを貫通する断面を示している。靴305aの上側アセンブリ8及び快適層40は、図５に関して記述された靴304の上側アセンブリ8及び快適層に対応する。靴305aは、内側通気性靴底要素65と囲繞靴底要素85とを有する通気性靴底要素を具備する。内側通気性靴底要素65は、図５の靴304の内側通気性靴底要素64のチャネル構造160と同一のチャネル構造160を有する。囲繞靴底要素85は、内側通気性靴底要素65のチャネルシステム160と流体連通する側部通路50を有する。
【０２１６】
内側通気性靴底要素65の側方延在範囲は、側部通路50の下端部の高さの下方にて、幾分か変化する。内側通気性靴底要素65の上側表面606からその下側表面604までのほぼ半分にて、内側通気性靴底要素65は通気性靴底要素の横方向延在範囲のほぼ全幅に亙り延在する。囲繞靴底要素85は、内側通気性靴底要素65の広幅部分の側部表面602を囲繞する靴底要素を形成する。それはまた、内側通気性靴底要素65の下側表面604を覆うことで、地面に対する靴305aの接触表面を形成する。囲繞靴底要素85はまた、内側通気性靴底要素65と上側アセンブリ8との間のポケットを満たすことで、これらの２つの構成要素間の取付けと、上側部分10と下側部分20との間の防水シールとを行う。
【０２１７】
囲繞靴底要素85は、内側通気性靴底要素65の下方に配置された支持部材135を具備する。靴305aの通気性靴底要素の設計態様は、内側通気性靴底要素65の緩衝及び快適さの能力が、通気性靴底要素の大きな体積全体の利用を保証する一方で、囲繞靴底要素85による内側通気性靴底要素65の完全な囲繞は、靴の均一な視覚的外観と、靴底アセンブリ7の全ての外壁に亙る丈夫な外側材料の配備とを可能にする。囲繞靴底要素85は、トレッド構造を備える。
【０２１８】
図６ｂは、別実施例に係る靴305bを貫通する断面を示している。図６ａと比較して、囲繞靴底要素85は改変されている、と言うのも、それは、靴305bの通常使用の間に地面に接触する部分を備えないからである。換言すると、囲繞靴底要素85は、底部側からではなく、横方向のみで内側通気性靴底要素65を囲繞する。内側通気性靴底要素65及び囲繞靴底要素85の夫々の下側面の下方には、外底95が配備される。外底95は、支持部材135を具備する。支持部材135は、図６ａの囲繞靴底要素85の下側層内に示された支持部材135に匹敵する。更に、外底95は、その下側面にトレッド構造を具備する。別体的な外底95の要素を配備することの利点は、図３ｂに示された靴302bの外底92に関して記述されたのと同じである。
【０２１９】
図６ｃは、別実施例に係る靴305cを貫通する断面を示している。靴305cの上側アセンブリ8は、上側材料11と上側機能層積層体17とを具備する上側部分10と、底部機能層積層体24を具備する底部部分20とを具備する。底部機能層積層体24は、上側アセンブリ8の水平部分全体に亙り延在する。それはまた、上側アセンブリ8の側部部分上に幾分か延在する。上側機能層積層体17は、上側アセンブリ8の水平部分から側部部分への移行部までは下方へ延在しない。ネットバンド15を含む上側材料11は、上側機能層積層体17と同じ程度まで下方まで、又は上側機能層積層体17よりも更に下方まで延在し得る。図６ｃの好適実施例において、ネットバンド15は、上側アセンブリ8の側面の底端部まで下方に延在する。図６ｃの好適実施例において、上側機能層積層体17及び底部機能層積層体24は、夫々の縁部にて相互に接近され、これらの構成要素をシュトローベル縫い目30が接続する。シュトローベル縫い目30はまた、これらの構成要素に対してネットバンド15も取付ける。
【０２２０】
底部機能層積層体24及び快適層40の下方に配置された内側通気性靴底要素65は、底部機能層積層体24の水平部分の殆どに亙り延在する。実際、内側通気性靴底要素65は、底部機能層積層体24の水平部分全体に亙り延在し得る。このことが可能なのは、上側材料11のネットバンド15と、底部機能層積層体24と上側機能層積層体17とを結合する継目30が、上側アセンブリ8の下側面にではなく、上側アセンブリ8の下側横方向面に配置されるからである。故に囲繞靴底要素84は、(図６ｃの場合である)底部機能層積層体24の下方までにではなく、底部機能層積層体24の水平側方延在範囲の外側にのみ付着され得る一方で、依然として継目30をシールし得る。
【０２２１】
図６ｃにおける内側通気性靴底要素65は、図６ｃの断面平面における該要素の垂直延在範囲に沿って一定幅を有する。それは、靴305cの長手方向全体に亙り全て横方向断面において一定幅を有し得る。但し、内側通気性靴底要素65の幅は、例えば図１に示されたように、靴305cの全体に亙る異なる長手方向箇所における他の横方向断面での垂直寸法が変化することも可能である。靴305cの内側通気性靴底要素65のチャネル構造160は、図６ｂに示された靴305bの内側通気性靴底要素65のチャネル構造160に対応する。
【０２２２】
内側通気性靴底要素65を、靴底アセンブリ7の全て又は殆ど全ての横方向寸法に亙り配備すると、底部機能層積層体24、及びそれから水蒸気を受ける内側通気性靴底要素65の高い水蒸気放出機能が、大きな面積に亙り利用され得るという利点が得られる。この特徴は、他の実施例の全てに対しても適用され得る。
【０２２３】
囲繞靴底要素85は、内側通気性靴底要素65の側部表面602を囲繞する。それは、内側通気性靴底要素65の垂直延在範囲の全体に亙り一定幅を有する。その垂直延在範囲の上方にて、囲繞靴底要素85は上側アセンブリ8の下側部分を横方向にて囲繞する。囲繞靴底要素85の靴底材料は、ネットバンド15及びシュトローベル縫い目30に侵入することで、上側アセンブリ8の上側部分10及び下側部分20の間の接続領域をシールする。内側通気性靴底要素65及び囲繞靴底要素85の下方には、外底95が配備される。此処でも、外底95は、支持部材135と、該外底の下側面上のトレッド構造とを備えている。
【０２２４】
図７は、別実施例に係る靴306を貫通する断面を示している。靴306の上側アセンブリ8は、以下にて論じられるように使用される底部機能層積層体24を除いて、図２ｂの靴301b及び図３ｂの靴302bの両方の上側アセンブリと同一である。靴306は、内側通気性靴底要素66の頂部上に快適層を備えない。靴306の囲繞靴底要素86は、靴301bの囲繞靴底要素81と同一である。靴306の内側通気性靴底要素66は、靴302cの内側通気性靴底要素62のチャネル構造160と類似するチャネル構造160であって、４本の長手方向チャネル184のみを具備するチャネル構造160を有する。靴306の内側通気性靴底要素66の側方延在範囲は、靴302cの内側通気性靴底要素62の側方延在範囲と同一である。内側通気性靴底要素66は、囲繞靴底要素86の間において、垂直寸法に沿う一定幅で延在する。内側通気性靴底要素66は、靴底の底部までも、特に、垂直方向において囲繞靴底要素86と同じ様に下方まで延在する。内側通気性靴底要素66及び囲繞靴底要素86は、靴306の使用の間に地面と接触する(トレッド構造を除く)面一な表面を形成する。故に、装着者の体重は、通気性靴底要素の２つの構成要素間で均一に配分され得る。
【０２２５】
靴306の底部機能層積層体24は、その下側面上に、瘤状部(こぶじょうぶ)とも称される複数のドット29を備えている。従って、ドット29は、底部膜21の下側表面上に配備される。ドット29は、底部機能層もしくは膜の下側表面の全体に亙り、規則的パターンで、特に、靴の横方向に延在する複数の平行な列で分布されたポリマーのドットであり、斯かる列の一つは図７の断面図に示される。ドット29は、内側通気性靴底要素66の頂面の不均一な性質にも関わらず、装着者の快適さが保証されるように、緩衝効果を有する。ドット29は、快適層が省略され得るほどに有効であることが確認された。ポリマーのドット29を有する底部機能層積層体24は、他の全ての実施例に対しても適用され得る。個別のドット29間の存在するスペースの故に、底部機能層積層体24の水蒸気透過性は阻害されない。ドット29を含めて底部機能層積層体24は容易に製造され得ることから、斯かる積層体は、製造効率の増大が達成可能であるように、靴を製造するために必要とされる構成要素の個数を減少させ得る。
【０２２６】
図８ａは、別実施例に係る靴307aを貫通する断面を示している。該靴307a、並びに図８ｂ、図１０ａ及び図１０ｂに示された靴307b、309a及び309bは、これまでに各図に関して記述された靴底構成とは異なる靴底構成を有している。これらの靴の通気性靴底要素は、単一片要素である。これらの靴において、内側通気性靴底要素と囲繞靴底要素との組合せ物は存在しない。従って、通気性靴底要素の側壁を貫通延在する側部通路50は一つの要素のみを貫通延在するが、先に記述された側部通路は、通気性靴底要素の側壁を共同で形成する内側通気性靴底要素の側壁及び囲繞靴底要素を貫通延在する。
【０２２７】
靴307aの上側アセンブリ8は、図６ｃに示された靴305cの上側アセンブリ8と同一である。靴307aは、通気性靴底要素67及び囲繞接続要素87を具備する。通気性靴底要素67は、靴307aの横方向寸法全体に亙り延在する。同様に、通気性靴底要素67は一つの要素で構成される。それは、複数の下位要素により形成されるのではない。通気性靴底要素67は、チャネル構造160から延在する側部通路50であって、通気性靴底要素67の側壁702を貫通する側部通路を通して空気流が靴底アセンブリ7の横方向外側に至ることを可能にする側部通路50を具備する。通気性靴底要素67のチャネル構造160は、図３ａの靴302aの内側通気性靴底要素62のチャネル構造160に類似している。通気性靴底要素67のチャネル構造160は、上側アセンブリ8の底部部分の実質的に全体の下方にて展開される。従って、底部機能層積層体24を通し、靴の内側からの水蒸気を受容する大きな面積が提供される。同様に、側部通路50は比較的に短く、これは通気の速度を促進する。この様にして、通気性靴底要素67を通る靴の内側からの高度に有効な水蒸気の放出が達成される。此処でも、底部機能層積層体24と通気性靴底要素67との間には快適層40が配設される。
【０２２８】
通気性靴底要素67の下方には外底97が配置される。それは、通気性靴底要素67の側方延在範囲の全体に亙り延在する。それはまた、トレッド構造も具備する。外底97は、任意選択的な特徴部である。通気性靴底要素67はまた、靴307aの使用の間において地面に対する接触領域を含むべく設計されても良い。
【０２２９】
囲繞接続要素87は、靴307aの上側アセンブリ8の下側部分を囲繞する。それはまた、通気性靴底要素67の上側表面704の側方端部も覆う。囲繞接続要素87は、上側アセンブリ8の下側部分、及び通気性靴底要素67の上側表面704の側方端部の両方に取付けられる。この様にして、上側アセンブリ8と通気性靴底要素67との取付けは、囲繞接続要素87により行われる。囲繞接続要素87は、通気性靴底要素67上に射出され得る。囲繞接続要素87は、上側アセンブリ8と通気性靴底要素67との間の唯一の取付けの形態であり得る。但しさらに、快適層40を含むかもしれない通気性靴底要素67は、別の手法で上側アセンブリ8の底部部分20に対して接着されるかもしくは取付けられ得る。通気性靴底要素67はまた、該通気性靴底要素67の上側部から上方に延在する唇部であって、縫い目30により他の構成要素に対して縫合される唇部も有し得る。
【０２３０】
囲繞接続要素87の材料は、ネットバンド15に浸透して、靴307aの上側アセンブリ8の上側部分10と下側部分20との間の接続領域30上に至る。この様にして、囲繞接続要素87は、接続領域30において、特にシュトローベル縫い目30において防水性シールを形成すると共に、靴に対して靴フレームの外観を加える。
【０２３１】
囲繞接続要素87は、通気性靴底要素67の側方延在範囲を越えて延在する僅かな側方突出部を有している。この付加的な靴底材料は、使用の間に囲繞接続要素87内に誘起される応力の分担に役立つことから、更に丈夫な構成が達成される。
【０２３２】
底部機能層積層体24と上側機能層積層体17との間の接続部30は、例えば、シール用テープにより別の手法でシールされ得ることも可能である。その場合、囲繞接続要素87は、通気性靴底要素67を上側アセンブリ8に取付けるために射出され得る。斯かる取付けはまた、囲繞接続要素87を上側アセンブリ8及び通気性靴底要素67に対して接着することにより達成されても良い。
【０２３３】
図８ｂは、別実施例に係る靴307bを貫通する断面を示している。靴307bは、囲繞接続要素87を除き、靴307aと同一である。靴307bの囲繞接続要素87は、通気性靴底要素67の上側周縁部を覆うことで、該通気性靴底要素67の上側表面704の側方端部、及び側部通路50の上方における通気性靴底要素67の側部表面706を覆う。この様にして、上側アセンブリ8と通気性靴底要素67との間における多方向性の強力な取付けが達成される。靴307bの通気性靴底要素67は、該靴の外底を形成する。この好適実施例において、別体的な外底は配備されない。但し、別体的な外底を配備することも可能である。
【０２３４】
図９は、別実施例に係る靴308を貫通する断面を示している。上側アセンブリ8及び快適層40は、図８ａに示された靴307aの対応要素と同一である。靴308は、内側通気性靴底要素68及び囲繞靴底要素88を具備する。内側通気性靴底要素68は、快適層40から垂直に、靴308の外底を形成する該靴308の下端部まで延在する。内側通気性靴底要素68は、その下側面にトレッド構造を備えている。内側通気性靴底要素68は、その下側部分において、靴308の横方向寸法全体に亙り延在する。その上部において、内側通気性靴底要素68の横方向寸法は、下側部分と比べて減少される。内側通気性靴底要素68の上部の側方延在範囲は、ほぼ、上側アセンブリ8の側方延在範囲に対応する。囲繞靴底要素88は、内側通気性靴底要素68の上側部分及び上側アセンブリ8の下側部分を囲繞して、上側アセンブリ8の上側部分10及び下側部分20の間の接続領域30を覆う。内側通気性靴底要素68の側壁608を貫通延在する側部通路50であって、内側通気性靴底要素68のチャネル構造160と空気連通する側部通路50が配備される。内側通気性靴底要素68は、靴307aの通気性靴底要素67のチャネル構造160に対応するチャネル構造160を具備する。
【０２３５】
囲繞靴底要素88は小さな側方延在範囲を有し、これは内側通気性靴底要素68の非常に均一なデザインを可能にする、と言うのも、靴底体積の大部分が内側通気性靴底要素68により提供されるからである。此処でも、囲繞靴底要素88の小体積は、該囲繞靴底要素88の迅速で良好に制御された射出成形を可能にする一方で、内側通気性靴底要素68と上側アセンブリ8との間の取付け、並びに上側アセンブリ8の上側部分10及び下側部分20の間の接続部のシール、並びに側部通路50を通しての水蒸気放出機能を保証する。
【０２３６】
図１０ａは、別実施例に係る靴309aを貫通する断面を示している。靴309aは、接合もしくは接着靴と称される、と言うのも、靴309aの靴底アセンブリ7は上側アセンブリ8に対して接着されるからである。
【０２３７】
上側アセンブリ8は、上述されたような上側材料11及び上側機能層積層体17を有する上側部分と、内底25及び底部機能層積層体24を有する底部部分20とを具備する。底部機能層積層体24は、頂部から底部にかけて、防水性／通気性膜21及び支持布22を具備する。図１０ａにおいて、上側機能層積層体17は、シュトローベル縫い目30を介して内底25に接続される。底部機能層積層体24は、底部から、防水性の接着封止材28により上側機能層積層体17に対して接着される。防水性の接着封止材28は、下側膜21と上側膜13との間の防水性シールが防水性の接着封止材28により行われるように、メッシュ12に浸透する。この様にして、防水性且つ通気性の上側アセンブリ8が形成される。底部機能層積層体24はまた、下側膜21の頂部上にメッシュを有する三層の積層体であって、防水性の接着封止材28がこのメッシュに浸透して２つの膜間に防水性シールを提供する三層積層体であってもよい。上側材料11は耐久接着剤26を介して底部機能層積層体24の下側表面に接着され、上側材料11の重なり合い部分は、底部機能層積層体24の下方に配置される。
【０２３８】
内底25は省略されても良く、且つ上側機能層積層体17は、例えば、防水性封止材を使用することにより、又はシール材料が継目内へ且つ該継目の回りへ浸透するように接続領域上へシール材料を射出することにより、又は防水性の継目用テープを使用することにより、積層体間の接続領域が防水様態でシールされるように、底部機能層積層体24に対して縫い付けられるかもしくは接着される。あるいは、内底は、防水様態で相互に接続された積層体の下方に配置され得る。
【０２３９】
靴309aの靴底アセンブリ7は、通気性靴底要素69及び外底99を具備する。外底99は、通気性靴底要素69の実質的に側方延在範囲全体に亙り、該要素の下方に配置される。通気性靴底要素69は、その内側部分内にチャネル構造160を具備する。チャネル構造160は、上述されたチャネル構造の内の任意のチャネル構造であり得る。図１０ａの特定実施例において、チャネル構造160は図６ｃに示された靴305cのチャネル構造160に類似しており、チャネルはより大きな垂直延在範囲を有している。通気性靴底要素69はまた、その側面部分にて側部通路50も具備する。側部通路50は、通気性靴底要素69のチャネル構造160と空気連通する。
【０２４０】
通気性靴底要素69は、靴底接着剤27を介して上側アセンブリ8に接着される。靴底接着剤27は、通気性靴底要素69の上側周囲部分、すなわち通気性靴底要素69の上側表面の部分と、上側材料11の最下位部分との間に配置される。この様にして、靴309は製造され、該靴の内側から、通気性靴底要素69のチャネル構造160及び側部通路50を通り、靴底アセンブリ7の横方向外側への水蒸気放出を保証する。
【０２４１】
図１０ｂは、別実施例に係る靴309bを貫通する断面を示している。靴309bもまた接合靴であり、靴底アセンブリ7は上側アセンブリ8に対して接着されている。靴309bの靴底アセンブリ7は、靴309aの靴底アセンブリと同一である。
【０２４２】
但し、靴309bの上側アセンブリ8は、靴309aの上側アセンブリ8とは異なる。靴309bの上側アセンブリ8は、該上側アセンブリ8の内側面全体に亙り配置された防水性／通気性膜18を具備する。膜18は、装着者の足の回りに防水性且つ通気性の袋体を形成する立体的膜／機能層である。膜18は、上側アセンブリ8の上側部分10並びに底部部分20に亙り延在する。特に、それは、上側アセンブリ8の側部部分に亙り、並びに装着者の足裏面に関連づけられる上側アセンブリ8の略水平部分に亙り延在する。膜18は、上側アセンブリ8の略水平部分において接着剤28を介して該膜18の下方に配置された内底25に対して接着される。接着剤28は、図１０ｂに示されたように周囲的に、又は通気性の接着剤が使用されるならば、内底25の延在範囲全体に亙り、スポット的にもしくは全体的に使用され得る。上側アセンブリ8はまた、内底25の側端部全体に亙り終端された外側材料11であって、耐久接着剤26を介して該内底に対して接着された外側材料11を具備する。此処でも、靴底アセンブリ7は靴底接着剤27を介して上側アセンブリ8に対して接着される。
【０２４３】
膜18の代わりに、防水性／通気性膜、及び支持布及び／又はメッシュを具備する機能層積層体が使用され得る。
【０２４４】
図１０ｂの実施例において、上側アセンブリ8の上側部分10及び底部部分20に亙り延在する機能層配列体は、１枚のみの機能層(又は１枚のみの機能層積層体)で構成される。以前に記述された各実施例において、機能層配列体は、上側膜13及び底部膜21により、特に、上側機能層積層体17及び底部機能層積層体24により形成されていた。
【０２４５】
当業者であれば明らかなように、記述された実施例においては、多くの改変が為され得る。更に、各実施例は異なる様態で組み合わされ得る。
【０２４６】
例えば、射出成形の代わりに、上述された各実施例の靴底要素を製造すべく他の技術が使用され得る。例えば、(内側)通気性靴底要素は、成形プロセスにおいて鋳型内へ注入され得る。加硫は、靴底を製造する別の公知プロセスである。
【０２４７】
別の代表的な改変は、記述された二層式の底部機能層積層体に関する。下側膜の下方に第３層を有する三層式の底部機能層積層体を配備することも可能である。第３層は、メッシュであり得るか、又は該第３層は、上側膜に対する下側膜のシールが行われ得るように射出成形の間に靴底材料が自身に浸透することを可能にする他の適切な材料であり得る。
【０２４８】
別の代表的な改変は、少なくとも一本の側部通路50が、最初の使用前に除去可能なインサートを備えるということである。特に、前記インサートは、側部通路の回りの材料に対し、すなわち通気性靴底要素に対し、特に囲繞靴底要素に対して接続され得る。但し、斯かる取付けは、例えば、ユーザがインサートを手で除去し得るように、局所的な取付け点のみを具備するなど、脆弱であり得る。この様にして、側部通路は出荷及び販売の過程においては塵埃が入らないままであるが、靴の装着者により容易に完成されることが保証される。取付けられるこれらのインサートは、例えば、囲繞靴底要素を型成形するための成形型に、後時に形成されるべき靴の側部通路の長さの全体に亙っては延在しない中空ピンを配備することにより達成され得る。この様にして、自身の内側端部にて囲繞靴底要素に接続されたインサートが形成される。取付け領域、すなわち前記ピンの長さと側部通路の延在範囲との間の差分領域は、装着者が前記インサートを引っ張ることによりこの取り付けを破断し得るように選択され得る。その様に取り付けられるピンを製造する別の手法は、中実の、すなわち側部通路の無い囲繞靴底要素を形成して、側部通路の外周縁に沿って囲繞靴底要素内へ切り込む一方で、後で形成されるべき側部通路の内側領域の材料を取り去らないことである。周縁に沿う切り込みは、装着者が殆ど労力なしで側部通路内の残存材料を除去し得るように行われる。
【０２４９】
図１１は、本発明の実施例に係る靴170の分解図を示している。
【０２５０】
靴170は実質的に図１に描かれた靴300に対応するが、その各要素は異なる参照番号により表される。靴170は、底部から頂部にかけて見て、外底要素171、土踏まず芯172、内側通気性靴底要素173、快適層174、囲繞靴底要素175、及び上側アセンブリ176を具備する。
【０２５１】
外底要素171、土踏まず芯172及び内側通気性靴底要素173は、事前作製され得る。土踏まず芯172は、靴170の中央及び踵(かかと)部分に十分な安定性を提供するために内側通気性靴底要素173内に一体化されることができ、また外底要素171及び内側通気性靴底要素173は、相互に型成形されるか又は接着され得る。
【０２５２】
内側通気性靴底要素173の上側部には、図１２〜図１９に関して記述されるチャネル構造が形成され、且つ内側通気性靴底要素173の側壁を貫通してチャネル構造まで延在する側部開口610が配備される。図１〜図１０ｂに関しては、内側通気性靴底要素の側壁を貫通すると共に囲繞靴底要素を貫通して延在する側部通路50が記述された。内側通気性靴底要素173の側壁608を貫通延在する側部通路の部分は、側部開口とも称されると共に、図１１においては参照番号610で示される。囲繞靴底要素175を貫通延在する側部通路の部分は側部通路部分とも称されると共に、図１１においては参照番号611で示される。
【０２５３】
図１１〜図１９の実施例において、側部開口610及び側部通路部分611は、異なる製造段階において形成され得る。
【０２５４】
内側通気性靴底要素173の側壁608は、その周囲部分により形成され、前記周囲部分は、側壁の外側面と、横方向チャネルのチャネル端部と空気及び湿気放出ポートの端部との間に描かれた仮想線との間に延在する。
【０２５５】
各側部開口610は、靴の全ての別個の部材が既に相互に結合されているときに内側通気性靴底要素が製造される時点にて、又は中間の他の任意の段階にて、提供され得る。
【０２５６】
快適層174は、内側通気性靴底要素173に対して固定され得る。囲繞靴底要素175は、靴170の外側への空気及び湿気の放出を可能にすべく、内側通気性靴底要素173の側部開口610と整列された、すなわち、該開口と幾何学的に合う１２個の側部通路部分を具備する。囲繞靴底要素は、その後の製造段階において、上側アセンブリ176に対し、並びに外底要素171、土踏まず芯172及び内側通気性靴底要素173を具備する事前組立体に対して型成形され得る。
【０２５７】
図１１はまた、靴170の前側部分を貫通延在する横方向切断平面Ｄ−Ｄも示している。図２ａ〜図１０ｂの各図は、平面Ｄ−Ｄに沿って獲得された多数の実施例の断面図を示している。
【０２５８】
靴170の更なる詳細のために、図２ａ〜図１０ｂに関して記述された各実施例が参照される。
【０２５９】
図１２は、靴170を長手方向に貫通する切断平面に沿って獲得された靴170の断面図を示している。
【０２６０】
図１２に依れば、自身の上側部分内に形成されたチャネル構造を有する内側通気性靴底要素173であって、その高さのほぼ中央にて中央部分から踵部分に至る領域内に一体化された土踏まず芯172を有し、且つ更に低位の前側部分及び更に高位の踵部分を備えた人間工学的形態を有する内側通気性靴底要素173は、囲繞靴底要素175により囲繞される。内側通気性靴底要素173及び囲繞靴底要素175の両方の下側面に外底要素171が固定されると共に、該外底要素はその下側面上でトレッドを形成する。内側通気性靴底要素173及び囲繞靴底要素175の上方には、それらに対して、射出された囲繞靴底要素175により結合され得る上側アセンブリ176が配備される。
【０２６１】
図１３は、内側通気性靴底要素173の平面図を示している。
【０２６２】
この平面図においては、内側通気性靴底要素173の周囲の大きさが視認され得る。内側通気性靴底要素173は、前足の母指球部分179にほぼ対応する前側部分において最大の幅を、且つ足の踵180にほぼ対応する後側部分において最小の幅を有する。内側通気性靴底要素173の上側表面は、参照番号606により表される。
【０２６３】
内側通気性靴底要素173の本体177の上側部分においては、多数の横方向チャネル181を具備するチャネル構造178が形成される。横方向チャネル181の幾つかは、拡大された側端部を有することで、空気及び湿気放出ポート182を形成する。空気及び湿気放出ポート182内の横方向チャネル181の深さもまた、来たるべき図１５ａ及び図１５ｂから明らかとなる様に、該横方向チャネル181の中央部分の深さと比べて大きくされ得る。図１３の平面図においては視認され得ない側部開口610は、空気及び湿気放出ポート182から、内側通気性靴底要素173の側壁608を貫通して延在する。横方向チャネルの幾つかは、ポートに終端しない。それらの端部は、内側通気性靴底要素173の側壁608における側部開口610と接続されない。
【０２６４】
隣接する横方向チャネル同士は互いに離間されると共に、横方向チャネルは、内側通気性靴底要素173のつま先部分から踵部分まで、該靴底要素の上側部分のほぼ全体を覆う。図１３の好適実施例においては、全部で２３本の横方向チャネル181が配備される。
【０２６５】
チャネル構造178は更に周縁チャネル183を具備し、該周縁チャネル183は、ほぼ長手方向において横方向チャネル181を接続する。周縁チャネル183は、横方向チャネル181の最前部(つま先領域)の中央部分から、ジグザグ線で、横方向チャネル181の最後部(踵領域)の中央部分まで延在する。
【０２６６】
代表的な周縁チャネル183のジグザグ形態は、横方向チャネル181に対する該周縁チャネルの横方向最外側の交差点が、拡開された空気及び湿気放出ポート182を備える横方向チャネル181に配置され、且つ各横向きチャネル181に対する該周縁チャネルの横方向最内側の交差点が、長手方向で見て、拡開された空気及び湿気放出ポート181を備える２本の対応する横方向チャネル181間に位置するようなものである。
【０２６７】
図１３の好適実施例においては、全部で６本の横方向チャネル181の側端部が、拡開された空気及び湿気放出ポート182を備えている。この好適実施例においてそれは、斯かる拡開された空気及び湿気放出ポート182を備えた内側通気性靴底要素173のつま先端部から開始して、第3、第6、第10、第13、第16、及び第21の横方向チャネル181である。結果として、ジグザグな周縁チャネル183は、これらの拡開された空気及び湿気放出ポート182のまさに内側にて、該チャネルの最外側点を有する。ジグザグな周縁チャネル183の最内側点は、第1、第5、第9、第12、第15、第19、及び第23の横方向チャネル181に配置される。ジグザグな周縁チャネル183の部分であって、隣り合う２つの最外側点及び最内側点の間における部分は、直線状に形成される。
【０２６８】
チャネル構造178は更に、内側通気性靴底要素173の前側部分及び中央部分の中央において幾本かの横方向チャネル181と交差する多数の長手方向チャネル184を具備する。これらの長手方向チャネル184は、内側通気性靴底要素173の側壁608にて終端はせず、且つポートも備えていない。但し、本発明の他の実施例においてそれらは、内側通気性靴底要素173の側壁608において終端し得ると共に、それらもポート182にて終端し得る。
【０２６９】
図１３の好適実施例においては、第2の横方向チャネル181及び第5の横方向チャネル181の夫々の中央部分の間に配置された第1の長手方向チャネル184があり、第2の長手方向チャネル184は、第6及び第9の横方向チャネル181の夫々の中央部分の間に配備され、第3の長手方向チャネル184は、第10及び第12の横方向チャネル181の夫々の中央部分の間に配置され、且つ第4の長手方向チャネル184は、第13及び第14の横方向チャネル181の夫々の中央部分の間に配備される。斯かる長手方向チャネル184は特に、横方向チャネル181が大きな幅を有する内側通気性靴底要素173の部分に配備される。
【０２７０】
内側通気性靴底要素173の側壁608は、該内側通気性靴底要素の周囲部分により形成され、前記周囲部分は、側壁608の外側面と、横方向チャネル181の端部と空気及び湿気放出ポート182の端部との間に引かれた仮想線であって図１３においては破線により表される仮想線との間に延在する。
【０２７１】
種々のチャネル、及びことによると側壁608により、機能的な支柱が形成される。例えば、第3及び第4の横方向チャネル181と、第1の長手方向チャネル184と、周縁チャネル183とにより形成された機能的支柱400が在る。この機能的支柱400は、チャネル181、184及び183により完全に囲繞される。更なる機能的支柱401であって、横方向においては側壁608の内側部と周縁チャネル183の近傍部分との間に延在し、且つ長手方向においては第4及び第5の横方向チャネル181間に延在する更なる機能的支柱401が、側壁608の上側部分によって形成される。
【０２７２】
内側通気性靴底要素173を貫通延在する長手方向切断平面Ｖ−Ｖが描かれる。内側通気性靴底要素173を貫通する横方向切断平面Ｗ−Ｗは、拡開された空気及び湿気放出ポート182を備える第6の横方向チャネル181の横方向延在範囲内に位置して描かれる。更なる横方向切断平面Ｘ−Ｘは、第13及び第14の横方向チャネル181間の位置において内側通気性靴底要素173を通して延在して描かれる。
【０２７３】
参照番号179は、内側通気性靴底要素173の母指球領域を表す。この母指球領域179は、前足の母指球領域を支持する内側通気性靴底要素173の部分に対応する。参照番号180は、内側通気性靴底要素173の踵領域を表す。この踵領域180は、足の踵部分を支持する内側通気性靴底要素173の部分に対応する。図１３の好適実施例において、母指球領域179は第5の横方向チャネル181から第10の横方向チャネル181まで延在し、且つ踵領域180は第19の横方向チャネル181から第21の横方向チャネル181まで延在する。
【０２７４】
本発明者等によれば、母指球領域179及び踵領域180はいずれも、最大の応力及び屈曲が生ずる重要な領域であることが見出された。故に、横方向チャネル181の幅は、内側通気性靴底要素173の他の部分における横方向チャネルと比較して、これらの領域179及び180の一つ又はふたつにおいて、異なるものであり得る。このことは、図１３においては示されない。特に、母指球領域179及び踵領域180における横方向チャネル幅は、内側通気性靴底要素173の他の部分における横方向チャネル幅より幾分か小さくされ得る。母指球領域179及び踵領域180における代表的な横方向チャネル幅は2.5mmであるが、他の領域並びに長手方向及び／又は周縁チャネルにおける横方向チャネル幅は3mmであり得る。
【０２７５】
更に、歩行サイクルの立脚期におけるポンピング効果を最大化するために、母指球領域179における横方向チャネル181は、該母指球領域179の上端部に向けて更にシフトされ得る。故に、第7、第8及び第9の横方向チャネルは第6のチャネルに接近して移動されることで、対象者の足の母指球の着地により、最大のポンピング効果が得られる。換言すると、そのときに、前足部分において隣り合う横方向通気チャネル181間の距離は、水蒸気を外側へポンピングする効果を高めるために、踵部分におけるよりも小さい。
【０２７６】
周縁チャネル183により、最終的に空気及び湿気放出ポート182に至るチャネルの本数は増大されることから、靴の外側へ搬送され得る空気及び湿気の量が増大される。周縁チャネル183は、異なる角度で横方向チャネル181を切断する。故に、周縁チャネル183は、第2の横方向チャネル181を45°の角度にて切断する。これに対して、第6の横方向チャネルは58°で切断され、第16のチャネルは48°で切断され、且つ第21のチャネルは72°で切断される。２つの放出ポート182を、本体177の周縁部に追随する直線状の周縁チャネル183により接続するのではなく、周縁チャネルは、既に記述されたようにジグザグ状である。該ジグザグ構造は、放出ポート間の直線状の接続チャネルを備えた構造よりも、湿気に対して更に良好な吸収及び搬送を行う。
【０２７７】
図１４は、縦軸線に沿って獲得された内側通気性靴底要素173の断面図を示している。
【０２７８】
図１４は、内側通気性靴底要素173の本体177の低位の前側部分410、上昇された中央部分411及び高位の後側部分412、並びに直線状で直立した側壁を具備する内側通気性靴底要素の好適実施例を示している。簡素化のために、内側通気性靴底要素173は、当然乍ら配備され得る土踏まず芯なしで描かれている。
【０２７９】
図１４においては、内側通気性靴底要素173の上側部分に形成された横方向チャネル181の形状が、一例として、良好に視認され得る。
【０２８０】
横方向チャネル181の形態には、幾つかの変更例が在る。横方向チャネル181の大部分は、断面図で見て、幾分か広幅な底部を備えたＶの形態である。前から後ろにかけて、すなわち低位部分から高位部分にかけて数えて第2の横方向チャネル181には、Ｕの形態を有すべく更に広幅のチャネル底部が形成される。斯かる横方向チャネル181は、他のチャネルと比較して大きなチャネル深さを有する。一例として、横方向チャネル181の深さは、20mm未満である。
【０２８１】
内側通気性靴底要素173の側壁608は、外側後面と最後側の横方向チャネル181との間において、まさに後部に延在すると共に、該側壁は、外側前面と最前側の横方向チャネル181との間において、まさに前部に延在する。
【０２８２】
図１５は、代替実施例に係る内側通気性靴底要素173を示している。図１５は、図１３における切断平面Ｖ−Ｖに沿って獲得された内側通気性靴底要素173の断面図である。
【０２８３】
切断平面Ｖ−Ｖは、２３本の全ての横方向チャネル181を切断すると共に、第1及び第2の横方向チャネル181の間の位置と、第14及び第16の横方向チャネル181の間の位置とにおいて、周縁チャネル183も切断する。
【０２８４】
内側通気性靴底要素173の高さはほぼ一定であり、その場合、内側通気性靴底要素173のつま先の部分又は領域においてのみ、高さの僅かな減少が提供される。
【０２８５】
内側通気性靴底要素173は、低位の前側部分420及び高位の後側部分421を以て、足の人間工学に追随する湾曲形状を有する。同様に、内側通気性靴底要素173の側壁608は、外側後面と最後側の横方向チャネル181との間において、まさに後部に延在する。内側通気性靴底要素173は、側壁608の上側部分609から外側方向に延在する円環状唇部もしくは円環状襟状部185を備える。この円環状唇部185により、内側通気性靴底要素173は(不図示の)上側アセンブリに対して接着もしくは縫合もしくは型成形され、及び／又は内側通気性靴底要素173に対して(不図示の)快適層が接着又は縫合され得る。
【０２８６】
図１５の断面図から理解され得るように、横方向チャネル181は周縁チャネル183と比較して幾分か大きなチャネル深さを有する一方で、周縁チャネル183の幅は、横方向チャネル181の幅よりも大きい。
【０２８７】
図１６ａは、図１３の切断平面Ｗ−Ｗに沿って獲得された内側通気性靴底要素173の断面図である。
【０２８８】
横方向チャネル181は、内側通気性靴底要素173の側壁608内の該内側通気性靴底要素173の全幅に亙り延在すると共に、該横方向チャネルは、チャネル深さが増大する拡開された空気及び湿気放出ポート182を除き、均一なチャネル深さを有することは容易に理解され得る。図１６ａにおいては、周縁唇部185も示される。
【０２８９】
図１６ｂは、図１６ａの断面図の詳細、すなわち、内側通気性靴底要素173の左側部分を拡大図で示している。
【０２９０】
この図からは、空気及び湿気放出ポート182の開始部から側壁608に至るチャネル底部430の推移が視認され得る。放出ポート182におけるチャネル底部430は連続的に傾斜する一方で、どんな端縁の形成も回避している。
【０２９１】
更に、図１６ａ及び図１６ｂにおいては、空気及び湿気放出ポート182に並置して、投影の平面を貫通して延在する周縁チャネル183が視認され得る。
【０２９２】
図１７は、切断平面Ｘ−Ｘに沿って獲得された内側通気性靴底要素173の断面図を示している。
【０２９３】
この断面図は、周縁チャネル183の左右の部分のチャネル形態、及び中央の長手方向チャネル184のチャネル形態を示している。図１７の好適実施例において、周縁チャネル183及び長手方向チャネル184は、水平方向に延伸する広幅の底部を備えたＶの基本形態を有している。
【０２９４】
図１８ａ〜図１８ｄは、周縁チャネル183の左側部分を貫通して切断された断面切断部を具備する図１７における詳細部Ｂの拡大図により例証されるチャネル形状の異なる好適実施例を示している。但し、これらのチャネル形状は、周縁チャネル183に限られるのではなく、横方向チャネル及び／又は長手方向チャネルに対しても適用され得る。
【０２９５】
図１８ａにおいて、周縁チャネル183は、直線状のほぼ水平な底部431と、上方に拡幅化する２つのチャネル壁部432とを有している。図１８ａの好適実施例において、チャネル壁部432は、直線状であり、且つ垂直面に対して10〜20°の角度を形成する。
【０２９６】
図１８ｂに描かれたチャネル183は、直線状のほぼ水平な底部431と、上方向に拡幅化されると共に、直線状であり且つ垂直面に対して10〜20°の角度を形成する２つのチャネル壁部432とを有している。内側通気性靴底要素173の上側表面606へのチャネル壁部432の上側部分の移行部433は、丸み付けられることで、それらの間の縁部を回避している。
【０２９７】
図１８ｃにおいて、チャネル183の底部部分434は、湾曲された凹状の形態を有している。直線状のチャネル壁部432は、チャネル183が底部から頂部にかけて拡幅化するように、上方向に拡幅化する。垂直面に対するチャネル壁部432の角度は、10〜20°である。
【０２９８】
図１８ｄは、直線状のほぼ水平な底部431と、上方向に拡幅化する２つの直線状のチャネル壁部432とを有する代表的なチャネル形状を示している。チャネル壁部432は、垂直面に対して10〜20°の角度を含む直線を形成する。チャネル壁部432への底部431の移行部は、垂直面に対して40〜60°の角度にて配置された傾斜直線状移行部分435により形成される。
【０２９９】
図１８ａ、図１８ｂ及び図１８ｄに描かれたチャネル183は全て、本質的に台形状、更に詳細には、等脚台形の形状を有している。基本的に水平延在範囲を有する底部部分の配備により、斯かるチャネルもしくは機能的支柱の破断の虞れが低減され得る。
【０３００】
図１８（ｃ）及び図１８（ｄ）に従い、底部とチャネル壁部との間に移行部を配備することにより、特に有利な湾曲部が達成され得ると共に、空気及び湿気を捕捉する角隅空間は形成されない。
【０３０１】
図１８ｂにおけるのと同様に、チャネル壁部432と、内側通気性靴底要素173の上側表面606との間に丸み付けされた移行部433を配備すると、この位置における縁部が回避され、上方に配置されている快適層、積層体又は上側アセンブリに対する摩耗及び起こり得る破損が回避され得る。
【０３０２】
図１９は、本発明の更なる実施例に係る別の内側通気性靴底要素187の平面図を示している。
【０３０３】
内側通気性靴底要素187は図１３の内側通気性靴底要素173に対応すると共に、同一の要素は同一の参照番号により表される。簡潔さのために、同様の要素、特に本体177、横方向チャネル181、空気及び湿気放出ポート182、及び長手方向チャネル184の説明は省略される。内側通気性靴底要素187は、全部で２３本の横方向チャネル181を具備する。
【０３０４】
一本の周縁チャネルの代わりに、第2の内側通気性靴底要素187は、２本の周縁チャネル189、190を具備する。
【０３０５】
第1周縁チャネル189は、つま先部分から、内側通気性靴底要素187の踵部分の前方の部分まで延在する。特に、第1周縁チャネル189は、第1の横方向チャネル181の中央部分から第19の横方向チャネル181の中央部分までジグザグ線で延在し、該第1周縁チャネルは、第3、第6、第10、第13及び第16の横方向チャネル181に形成された横方向チャネル181の空気及び湿気放出ポート182のすぐ横において、最外側点を有している。第1周縁チャネル189の最内側点は、第1、第5、第9、第12、第15、及び第19の横方向チャネル181に配置される。
【０３０６】
第2周縁チャネル190は、第20の横方向チャネル181の中央部分から、第24の横方向チャネル181の中央部分まで延在し、該周縁チャネルの最外側点は、第22の横方向チャネル181の空気及び湿気放出ポート182に並置して配置される。
【０３０７】
本発明者等によれば、第2の内側通気性靴底要素187の場合のように、２本以上の周縁チャネルが配備され得ること、及び２本以上の周縁チャネルが配備される場合、各周縁チャネルは必ずしも相互に接続される必要はないということが見出された。
【０３０８】
図１９は、破線にて、内側通気性靴底要素187の側壁608を貫通する側部開口610も示している。これらの側部開口610は、空気及び湿気放出ポート182を、内側通気性靴底要素187の外側へ接続する。図１９の実施例において、側部開口610は、実質的に横方向チャネル181の幅に対応する幅／直径を有している。但し、それらの幅は、横方向チャネル181の幅より小寸であってもよい。
【０３０９】
図１２〜図１９に関して記述された内側通気性靴底要素のチャネル構造の特徴は、囲繞靴底要素により囲繞されない通気性靴底要素に対しても等しく適用可能であることが指摘される。
【０３１０】
機能層／膜の定義
機能層とは、例えば、膜の形態、又は例えばプラズマ処理された布などの、対応して処理されたもしくは仕上げられた材料の形態の、水蒸気透過性で防水性の層である。下側膜とも称される下側機能層、及び上側膜とも称される上側機能層はいずれも、通常は、二層、三層もしくは四層積層体である多層の一部であり得；下側機能層及び上側機能層は、靴底側の上のシャフト配置の下側領域内が防水性であるようにシールされ；下側機能層及び上側機能層はまた、一つの材料からも形成され得る。
【０３１１】
防水性で水蒸気透過性の機能層に適切な材料は特に、特許文献２及び特許文献３に記述されたように、ポリウレタン、ポリオレフィン、及びポリエーテルエステルなどのポリエステル、及びそれらの積層体である。一つの変形例において、機能層は、例えば特許文献４及び特許文献５に記載されたような微孔質の延伸ポリテトラフルオロエチレン(ePTFE)、及び親水的な含浸物質及び／又は親水的な層を備えた延伸ポリテトラフルオロエチレンにより構成される；例えば、特許文献６を参照。微孔質の機能層とは、その平均の有効孔径が0.1〜2μm、好適には0.2μm〜0.3μmである機能層を意味すると理解される。
【０３１２】
積層体の定義
積層体とは、通常は相互接着もしくはシールにより永続的に相互に結合された数枚の層から成る複合体である。機能層積層体において、防水性及び／又は水蒸気透過性の機能層は、少なくとも一枚の布層を備えている。此処では、二層積層体が述べられる。三層積層体は、２つの布層間に埋設された防水性で水蒸気透過性の機能層を具備する。機能層と少なくとも一枚の布層との間の接続は、不連続的な接着層、又は連続的な水蒸気透過性の接着層により行われる。一つの変形例において、機能層と、一層もしくは二層の布層との間にはスポット的に接着剤が塗布され得る。スポット的もしくは不連続的な接着剤の塗布が行われるのは、それ自体が水蒸気透過性でない接着剤を全表面層とすると、機能層の水蒸気透過性が阻害されるからである。
【０３１３】
防水性の定義
任意選択的に、当該機能層／機能層積層体上に配備された継目を含む機能層／機能層積層体は、もし、それが少なくとも１×１０4Ｐａの水侵入圧力を保証するなら、“防水性”と見做される。機能層材料は好適には、１×１０5Ｐａ超の水侵入圧力に耐える。そして水侵入圧力は、２０±２℃の蒸留水が、増大する圧力を以て機能層の100cm2のサンプルに加えられるという試験方法に従い測定される。水の前記圧力増大は、６０±３cmH2O／分である。そして水侵入圧力は、水がサンプルの他方の側面に初めて現れる圧力に対応する。前記手順に関する詳細は、1981年からのISO標準0811に規定されている。
【０３１４】
靴が防水であるか否かは、例えば、特許文献７中に記述された形式の遠心分離装置により試験され得る。
【０３１５】
水蒸気透過性／通気性の定義
機能層／機能層積層体は、もしそれが、150m2×Ｐａ×Ｗ-1未満の水蒸気透過抵抗値Retを有するなら、“水蒸気透過性”と見做される。水蒸気透過性は、ヘーエンシュタイン・スキンモデル(Hohenstein skin model)に従い試験される。この試験方法は、DIN EN 31092(02/94)及びISO 11092(1993)に記述されている。
【０３１６】
空気流の許容／空気の連通の定義
空気流は、圧力勾配、温度勾配、及び水蒸気濃度の勾配に依存する。“それを通る空気流を可能にする”及び“空気の連通”という表現は、例えば、足の動きにより、又は歩行動作によるなどの最小限度の風により、最小限度の圧力差(＜1000Ｐａ、特に＜100Ｐａ、更に詳細には＜10Ｐａであり、但し、１Ｐａ以上)にて、大量の空気の移行が直ちに生ずることを意味する。チャネル構造、スペーサ材料、又は個別的な充填物要素間の空隙とは、それ自身を通る空気流を可能にする構造／材料である。これと対照的に、殆ど全ての材料は、高圧でそれ自身を通る空気流を可能にするが、これは使用された用語により意味されるものでない。水蒸気は、低圧で、例えば微孔質材料又は空気のような特定の材料中に拡散し得る。但し、斯かる拡散はそれ自体、本発明の意味における通気性靴底要素を通る放出を構成するには十分でない。当該空気流と共に水蒸気を靴の外部にもたらす空気流が必要とされる。同様に、“無負荷の”空気が靴に流入し、これは通気性靴底要素内の水蒸気を吸収して靴の外部へ搬送することができる。通気性靴底要素の材料を通る水蒸気の拡散は有利であり得るが、本発明の意味において空気流を確立するには十分でない。
【図１】
2013536708.tif 000003
【図２ａ】
2013536708.tif 000004
【図２ｂ】
2013536708.tif 000005
【図２ｃ】
2013536708.tif 000006
【図２ｄ】
2013536708.tif 000007
【図３ａ】
2013536708.tif 000008
【図３ｂ】
2013536708.tif 000009
【図３ｃ】
2013536708.tif 000010
【図３ｄ】
2013536708.tif 000011
【図３ｅ】
2013536708.tif 000012
【図３ｆ】
2013536708.tif 000013
【図４ａ】
2013536708.tif 000014
【図４ｂ】
2013536708.tif 000015
【図５】
2013536708.tif 000016
【図６ａ】
2013536708.tif 000017
【図６ｂ】
2013536708.tif 000018
【図６ｃ】
2013536708.tif 000019
【図７】
2013536708.tif 000020
【図８ａ】
2013536708.tif 000021
【図８ｂ】
2013536708.tif 000022
【図９】
2013536708.tif 000023
【図１０ａ】
2013536708.tif 000024
【図１０ｂ】
2013536708.tif 000025
【図１１】
2013536708.tif 000026
【図１２】
2013536708.tif 000027
【図１３】
2013536708.tif 000028
【図１４】
2013536708.tif 000029
【図１５】
2013536708.tif 000030
【図１６ａ】
2013536708.tif 000031
【図１６ｂ】
2013536708.tif 000032
【図１７】
2013536708.tif 000033
【図１８ａ】
2013536708.tif 000034
【図１８ｂ】
2013536708.tif 000035
【図１８ｃ】
2013536708.tif 000036
【図１８ｄ】
2013536708.tif 000037
【図１９】
2013536708.tif 000038
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
通気性の外側材料(11)を含む上側部分(10)と、底部部分(20)とを備える上側アセンブリ(8)であって、前記上側部分(10)及び前記底部部分(20)の全体に亙り延在する防水性且つ通気性の機能層配列体(18；13、21)を具備する上側アセンブリ(8)と、
自身を通る空気流を可能にする構造もしくは材料を有する通気性靴底要素であって、前記上側アセンブリ(8)に取付けられる通気性靴底要素と、を具備する防水性且つ通気性の靴であって、
前記構造もしくは材料から、前記通気性靴底要素の側壁(702)を貫通して少なくとも一本の側部通路(50)が延在し、該側部通路(50)は、前記通気性靴底要素の前記構造もしくは材料と、前記通気性靴底要素の外側との間の空気の連通を可能にする、
防水性且つ通気性の靴。
【請求項２】
前記上側部分(10)は、下端部領域を有する防水性且つ通気性の上側機能層積層体(17)を具備し、
前記底部部分(20)は、側端部領域を有する防水性且つ通気性の底部機能層積層体(24)を具備し、
前記底部機能層積層体(24)の前記側端部領域及び前記上側機能層積層体(17)の前記下端部領域は、結合部(30)に配備された防水性シールにより相互に結合される、請求項１に記載の靴。
【請求項３】
前記通気性靴底要素は、自身を通る空気流を可能にする構造もしくは材料を有する内側通気性靴底要素(60；61；62；63；64；65；66；68)と、囲繞靴底要素(80；81；82；83；84；85；86；88)とを具備し、
前記囲繞靴底要素(80；81；82；83；84；85；86；88)は、前記内側通気性靴底要素(60；61；62；63；64；65；66；68)を少なくとも側方にて囲繞すると共に、前記上側アセンブリ(8)と、前記内側通気性靴底要素の側部表面(602)とに取付けられる、請求項１又は２に記載の靴。
【請求項４】
前記通気性靴底要素、特に前記内側通気性靴底要素(60；61；62；63；64；65；66；68)は、チャネル構造(160)を有する、請求項１〜３のいずれか一項に記載の靴。
【請求項５】
前記底部機能層積層体(24)の前記側端部領域は、縫製継目(30)により、前記上側機能層積層体(17)の前記下端部領域に取付けられ、
前記防水性シールは、前記縫製継目内へ且つ該縫製継目の回りに浸透された囲繞靴底材料により形成される、請求項３又は４に記載の靴。
【請求項６】
前記内側通気性靴底要素(60；61；62；63；64；65；66；68)は、該内側通気性靴底要素(60；61；62；63；64；65；66；68)の上側周縁部が前記縫製継目(30)内に配置されるように、前記上側アセンブリ(8)の前記底部部分(20)の下方に配置され、
前記上側周縁部は特に、前記縫製継目(30)に対し、1mm〜4mm、更に詳細には2mm〜3mmの最小距離を有する、請求項５に記載の靴。
【請求項７】
前記上側アセンブリ(8)の下側側方部分を囲繞する囲繞接続要素(87)であって、前記上側アセンブリ(8)に対し且つ前記通気性靴底要素(67)の上側側方部分に取付けられる囲繞接続要素(87)を更に具備する、請求項１、２及び４のいずれか一項に記載の靴。
【請求項８】
前記底部機能層積層体(24)の前記側端部領域は、縫製継目(30)により、前記上側機能層積層体(17)の前記下端部領域に取付けられ、
前記防水性シールは、前記縫製継目内へ且つ該縫製継目の回りに浸透された前記囲繞接続要素(87)の材料により形成される、請求項７に記載の靴。
【請求項９】
前記通気性靴底要素は前記上側アセンブリ(8)に対して接着される、請求項１〜８のいずれか一項に記載の靴。
【請求項１０】
前記内側通気性靴底要素(60；61；62；63；64；65；66；68)は、該内側通気性靴底要素(60；61；62；63；64；65；66；68)の上側周縁部の近傍に配置された円環状唇部(101)を具備し、
前記円環状唇部(101)は、前記内側通気性靴底要素から、上方及び横方向外方を含め、それらの間における方向に突出する、請求項３〜６及び９のいずれか一項に記載の靴。
【請求項１１】
前記円環状唇部は、前記上側アセンブリ(8)の下側部分に対し、特にシュトローベルもしくはジグザグの様式で縫合される、請求項１０に記載の靴。
【請求項１２】
前記通気性靴底要素の少なくとも一部分の頂部上には、水蒸気透過性の快適層(40)が配備される、請求項１〜１１のいずれか一項に記載の靴。
【請求項１３】
前記快適層(40)は、上側面及び下側面を有し、
前記上側面は前記上側アセンブリ(8)の前記底部部分(20)に面しており、
前記下側面は前記通気性靴底要素に面しており、
前記下側面は堅固であり且つ前記上側面は柔軟である、請求項１２に記載の靴。
【請求項１４】
前記少なくとも一本の側部通路(50)内に配備された少なくとも一つの中空インサートを具備する、請求項１〜１３のいずれか一項に記載の靴。
【請求項１５】
通気性の外側材料(11)を含む上側部分(10)と、底部部分(20)とを備える上側アセンブリ(8)であって、前記上側部分(10)及び前記底部部分(20)の全体に亙り延在する防水性且つ通気性の機能層配列体(18；13、21)を具備する上側アセンブリ(8)を配備する段階と、
自身を通る空気流を可能にする構造もしくは材料を有する通気性靴底要素を前記上側アセンブリ(8)に取付ける段階と、を含む防水性且つ通気性の靴を製造する方法であって、
前記構造もしくは材料から、前記通気性靴底要素の側壁(702)を貫通して少なくとも一本の側部通路(50)が延在し、前記側部通路(50)は、前記通気性靴底要素の前記構造もしくは材料と、前記通気性靴底要素の外側との間の空気の連通を可能にする、
防水性且つ通気性の靴を製造する方法。
【請求項１６】
上側アセンブリ(8)の上側部分(10)であって、通気性の外側材料(11)と、下端部領域を有する防水性且つ通気性の上側機能層積層体(17)とを含む上側部分(10)を配備する段階と、
前記上側アセンブリ(8)の底部部分(20)であって、側端部領域を有する防水性且つ通気性の底部機能層積層体(24)を含む底部部分(20)を配備する段階と、
前記底部機能層積層体の前記側端部領域を、前記上側機能層積層体の前記下端部領域に結合する段階と、
自身を通る空気流を可能にする構造もしくは材料を有する通気性靴底要素を配備する段階であって、該通気性靴底要素は、前記構造もしくは材料から、該通気性靴底要素の側壁(702)を貫通して延在する少なくとも一本の側部通路(50)を具備し、前記側部通路(50)は、前記通気性靴底要素の前記構造もしくは材料と、前記通気性靴底要素の外側との間の空気の連通を可能にする、通気性靴底要素を配備する段階と、
前記通気性靴底要素を、囲繞接続要素(87)の射出成形により、前記上側アセンブリ(8)に取付ける段階であって、前記囲繞接続要素(87)が前記底部機能層積層体(24)と前記上側機能層積層体(17)との間に防水性シールを提供する、前記通気性靴底要素を前記上側アセンブリ(8)に取付ける段階とを含む、
防水性且つ通気性の靴を製造する方法。
【請求項１７】
上側アセンブリ(8)の上側部分(10)であって、通気性の外側材料(11)と、下端部領域を有する防水性且つ通気性の上側機能層積層体(17)とを含む上側部分(10)を配備する段階と、
前記上側アセンブリ(8)の底部部分(20)であって、側端部領域を有する防水性且つ通気性の底部機能層積層体(24)を含む底部部分(20)を配備する段階と、
前記底部機能層積層体の前記側端部領域を、前記上側機能層積層体の前記下端部領域に結合する段階と、
自身を通る空気流を可能にする構造もしくは材料を有する内側通気性靴底要素(60；61；62；63；64；65；66；68)を配備して、該内側通気性靴底要素を、囲繞靴底要素(80；81；82；83；84；85；86；88)を介し、特に該囲繞靴底要素の射出成形により、前記上側アセンブリに取付ける段階と、を含む防水性且つ通気性の靴を製造する方法であって、
前記構造もしくは材料からは、前記内側通気性靴底要素(60；61；62；63；64；65；66；68)の側壁(608)を貫通し且つ前記囲繞靴底要素(80；81；82；83；84；85；86；88)を貫通して少なくとも一本の側部通路(50)が延在し、該側部通路(50)は、前記通気性靴底要素の前記構造もしくは材料と、前記通気性靴底要素の外側との間の空気の連通を可能にし、前記囲繞靴底要素(80；81；82；83；84；85；86；88)は、前記底部機能層積層体(24)と前記上側機能層積層体(17)との間に防水性シールを提供する、
防水性且つ通気性の靴を製造する方法。
【国際調査報告】
2013536708.tif 000039
2013536708.tif 000040